(57)【特許請求の範囲】
【請求項１】
歩行者あるいは自転車の運転者を含む交通違反者による交通違反を抑止するための違反抑止装置であって、
歩行者あるいは自転車の運転者の交通違反者を検出する違反検出部と、
前記違反検出部で交通違反者を検出した場合、当該交通違反者に向けて音を発する指向性音発生装置を制御する音発生制御部と、
前記交通違反者の移動を検出する行動検出部と、
前記交通違反者を撮影した画像を取得する画像取得部と、
を備え、
前記音発生制御部は、前記行動検出部が検出した前記交通違反者の移動に追従するように、前記指向性音発生装置から前記交通違反者に向けた音の発生を制御するとともに、
前記違反検出部は、前記画像取得部において取得された画像、および前記画像に写っている信号機を制御している制御情報の少なくとも１つを用いて信号無視の交通違反の有無を検出し、
前記画像取得部は、前記交通違反者と信号機とを含む画像を取得する、
違反抑止装置。
【請求項２】
歩行者あるいは自転車の運転者を含む交通違反者による交通違反を抑止するための違反抑止装置であって、
歩行者あるいは自転車の運転者の交通違反者を検出する違反検出部と、
前記違反検出部で交通違反者を検出した場合、当該交通違反者に向けて音を発する指向性音発生装置を制御する音発生制御部と、
前記交通違反者の移動を検出する行動検出部と、
前記交通違反者を撮影した画像を取得する画像取得部と、
を備え、
前記音発生制御部は、前記行動検出部が検出した前記交通違反者の移動に追従するように、前記指向性音発生装置から前記交通違反者に向けた音の発生を制御するとともに、
前記画像取得部が取得した画像に基づいて、前記交通違反者の顔の向きを検出する顔検出部と、
前記画像取得部が取得した複数の画像の中から、前記顔検出部において検出された前記交通違反者の顔の向きに基づいて、前記交通違反者の顔を概ね正面から撮影した画像を抽出する画像抽出部と、
をさらに備えている、
違反抑止装置。
【請求項３】
前記画像抽出部が抽出した画像を記憶する記憶部を、さらに備えている、
請求項２に記載の違反抑止装置。
【請求項４】
前記音発生制御部は、前記交通違反者に向けて発せられる音について、前記音の発生時間、前記音の種類、前記音の発生範囲および前記音の強度の少なくとも一つを調整するように、前記指向性音発生装置を制御する、
請求項１から３のいずれか１項に記載の違反抑止装置。
【請求項５】
歩行者あるいは自転車の運転者を含む交通違反者による交通違反を抑止するための違反抑止装置であって、
歩行者あるいは自転車の運転者の交通違反者を検出する違反検出部と、
前記違反検出部で交通違反者を検出した場合、当該交通違反者に向けて音を発する指向性音発生装置を制御する音発生制御部と、
前記交通違反者に対して光を照射する光照射装置を制御する光照射制御部と、
を備えている違反抑止装置。
【請求項６】
請求項１から５のいずれか１項に記載の違反抑止装置と、
前記音発生制御部からの制御によって、前記交通違反者に向けて音を発する指向性音発生装置と、
を備えている違反抑止システム。
【請求項７】
前記指向性音発生装置は、横断歩道を含む道路付近に設置されている、
請求項６に記載の違反抑止システム。
【請求項８】
前記指向性音発生装置は、前記横断歩道を含む道路に設置された歩行者用信号機の近傍に設置されている、
請求項７に記載の違反抑止システム。
【請求項９】
請求項１から４のいずれか１項に記載の違反抑止装置と、
横断歩道を含む道路に設置され、前記画像取得部において取得される画像を撮影する撮像装置と、
を備えている違反抑止システム。
【請求項１０】
請求項５に記載の違反抑止装置と、
前記光照射制御部によって制御され、前記交通違反者に対して光を照射する光照射装置と、
を備えている違反抑止システム。
【請求項１１】
前記光照射装置は、前記交通違反者に対して指向性を有する光を照射する、
請求項１０に記載の違反抑止システム。
【発明の詳細な説明】
【技術分野】
【０００１】
本発明は、例えば、信号無視等の交通違反を抑止する違反抑止装置およびこれを備えた違反抑止システムに関する。
【背景技術】
【０００２】
近年、信号機が設置された横断歩道のある道路において、歩行者や自転車が赤信号を無視して横断することで、交通事故の発生リスクが高まるとともに、車両の走行が妨げられることによる交通渋滞の要因となっている。
例えば、特許文献１には、このような赤信号を無視して道路を横断する歩行者等を抑止するために、赤信号表示時に横断歩道内に進入した交通違反者を検知して、信号機の近傍に設置されたディスプレイに当該交通違反者の画像を表示する装置が開示されている。
【０００３】
また、例えば、特許文献２には、信号機が出射する３色の光を、横断歩道に照射する交通信号機が開示されている。
しかしながら、特許文献１の装置では、ディスプレイに交通違反者が表示されていても、交通違反者がその表示に気づかない可能性があり、交通違反者に対する交通違反の抑止効果が不十分である。また、特許文献２では、信号機だけでなく横断歩道に表示された色によって、信号機の色を歩行者等に認識させることができるに過ぎない。また、特許文献２は、交通違反者を特定して報知する構成でもないため、交通違反の抑止効果が不十分である。
【先行技術文献】
【特許文献】
【０００４】
【特許文献１】特開２００３−３４６２８０号公報
【特許文献２】特開平１０−２８９３９５号公報
【発明の概要】
【発明が解決しようとする課題】
【０００５】
本発明の課題は、信号無視等の交通違反の抑止効果を高めることが可能な違反抑止装置およびこれを備えた違反抑止システムを提供することにある。
【課題を解決するための手段】
【０００６】
第１の発明に係る違反抑止装置は、歩行者あるいは自転車の運転者を含む交通違反者による交通違反を抑止するための違反抑止装置であって、違反検出部と、音発生制御部と、を備えている。違反検出部は、歩行者あるいは自転車の運転者の交通違反者を検出する。音発生制御部は、違反検出部で交通違反者を検出した場合、当該交通違反者に向けて音を発する指向性音発生装置を制御する。
【０００７】
ここでは、例えば、信号機が設置された横断歩道のある道路において、赤信号を無視して道路を横断しようとする歩行者や自転車等の交通違反が検出されるとともに、その交通違反者が検出されると、交通違反者に向けて音が発せられる。
ここで、違反検出部における交通違反者の検出は、画像情報に基づいて行われてもよいし、センサ等の検知結果を用いて行われてもよい。また、音発生制御部は、検出された交通違反者に向けて音が発せられるように、指向性音発生装置を制御する。具体的には、指向性音発生装置は、交通違反者に向けて指向性のある音を発する。つまり、指向性音発生装置は、例えば交通違反者に向けて集中的に音を発する。交通違反者に向けて集中的に発せられる音としては、例えば交通違反者の位置だけに聞こえる音等が挙げられる。より具体的には、違反者に向けて集中的に発せられる音としては、例えば、交通違反者の位置にだけ聞こえ、その他の位置には聞こえない又は聞こえにくい音等が挙げられる。
【０００８】
例えば、音としては、交通違反に対して警告を行うブザー音および音声などが挙げられる。
これにより、交通違反を犯した交通違反者に向けて音が発せられるため、交通違反者は、通常の状況とは異なる状況におかれ、音による刺激が交通違反者への警告になる。
より具体的には、交通違反者は、音の発生によって耳を通じて音の刺激を受ける。そのため、交通違反者に対して、交通違反を犯していることを認識させる効果を高めることができる。さらには、音は交通違反者に向けて発せられるため、交通違反者は確実に警告音等の音を聞き取ることができる。また、例えば、交通違反者に向けて指向性のある音が発せられた場合であっても、交通違反者が、交通違反者の周囲のものに警告音等の音を聞かれていると感じた場合には、交通違反者は羞恥心を感じる。また、音が発せられるという経験に基づいて、交通違反者に対して、今後この場所において交通違反を犯すことを控えさせることができる。
【０００９】
結果として、交通違反者に対して交通違反を犯すこと又はくり返すことを躊躇させ、交通違反の抑止効果を高めることができる。
なお、交通違反者には、無意識的に交通違反を犯している者および意識的に交通違反を犯している者が含まれる。
【００１０】
第２の発明に係る違反抑止装置は、第１の発明に係る違反抑止装置であって、行動検出部をさらに備えている。行動検出部は、交通違反者の移動を検出する。音発生制御部は、行動検出部が検出した交通違反者の移動に追従するように、指向性音発生装置から交通違反者に向けた音の発生を制御する。
ここでは、例えば、信号機が設置された横断歩道のある道路において、赤信号を無視して道路を横断しようとする交通違反者の移動が検出され、交通違反者の移動に追従して音が発せられる。
例えば、交通違反者は、交通違反を犯している限り、音から逃れることはできない。よって、交通違反者は、交通違反を犯していることを監視されているように感じる。また、交通違反を犯している限り音が発せられるため、交通違反者の交通違反に対する認識、交通違反に対する羞恥心等および交通違反の繰り返しの抑制効果もさらに高めることができる。
結果として、交通違反者に対して交通違反を犯すこと又はくり返すことを躊躇させ、交通違反の抑止効果を高めることができる。
【００１１】
第３の発明に係る違反抑止装置は、第２の発明に係る違反抑止装置であって、画像取得部をさらに備えている。画像取得部は、交通違反者を撮影した画像を取得する。
ここでは、例えば、信号機が設置された横断歩道のある道路において、赤信号を無視して道路を横断しようとする歩行者や自転車等の交通違反者が撮影され、画像が取得される。
ここで、画像取得部において取得される画像は、例えば、信号機が設置された横断歩道のある道路に設置されたカメラ等の撮像装置から供給される。
この結果、例えば、警察署等において、交通違反者の画像に基づいて、交通違反の取締りを実施することができる。
【００１２】
第４の発明に係る違反抑止装置は、第３の発明に係る違反抑止装置であって、違反検出部は、画像取得部において取得された画像、および画像に写っている信号機を制御している制御情報の少なくとも１つを用いて信号無視の交通違反の有無を検出する。
【００１３】
ここでは、例えば赤信号無視等の交通違反を検出するために、画像取得部において取得された画像の情報、および画像に写っている信号機を制御している制御情報の少なくとも１つが用いられる。
これにより、例えば、信号機の色と、赤信号の横断歩道を渡る歩行者等が含まれる画像とを組み合わせて、交通違反を検出することができる。また、例えば、信号機を制御している制御情報と、この制御情報が示す赤信号だった時間に横断歩道を渡る歩行者等が含まれる画像とを組み合わせて、交通違反を検出することができる。
【００１４】
第５の発明に係る違反抑止装置は、第４の発明に係る違反抑止装置であって、画像取得部は、交通違反者と信号機とを含む画像を取得する。
ここでは、例えばカメラ等の撮像装置によって撮影された画像として、交通違反者と信号機とが含まれる画像が用いられる。
画像には交通違反者と信号機とが含まれるため、例えば、警察署等において、信号機の色に基づいた交通違反の検出および立証が容易である。信号機は、例えば、歩行者用信号機であってもよい。この場合、画像に写っている歩行者用信号機が赤であることに基づいて、歩行者等が交通違反を犯していることを検出できる。あるいは、信号機は、例えば、自動車用信号機であってもよい。この場合、画像に写っている自動車用信号機が青であることに基づいて、相反関係にある歩行者用信号機が赤であることが特定されてもよい。
【００１５】
第６の発明に係る違反抑止装置は、第３から第５の発明のいずれか１つに係る違反抑止装置であって、顔検出部と、画像抽出部とをさらに備えている。顔検出部は、画像取得部が取得した画像に基づいて、交通違反者の顔の向きを検出する。画像抽出部は、画像取得部が取得した複数の画像の中から、顔検出部において検出された交通違反者の顔の向きに基づいて、交通違反者の顔を概ね正面から撮影した画像を抽出する。
【００１６】
ここでは、交通違反者を撮影した画像の中から、交通違反者が概ね正面側を向いた画像が抽出される。交通違反者が正面側を向いている画像とは、例えば、カメラ等の撮像装置に対して交通違反者の顔が正対している状態等が考えられる。よって、交通違反者の顔の概ね全体を取得できるため、交通違反者の特定が容易となる。
さらに、例えば、カメラ等の撮像装置とスピーカ等の指向性音発生装置とが概ね同位置に設置されていると好ましい。この場合、スピーカ等によって交通違反者に音が発せられると、交通違反者はカメラおよびスピーカの方向を見る可能性が高い。よって、カメラおよびスピーカを見たときにカメラで交通違反者を撮影すれば、交通違反者の顔の概ね全体を取得できるため、交通違反者の特定が容易となる。
【００１７】
これによれば、例えば、警察署等において、交通違反の検出および立証が容易である。
また、例えば、交通違反者の顔の向きに基づいて、交通違反者が赤信号の信号機を見ているか否かを把握することができる。そして、交通違反者が、赤信号の信号機を見ているにも関わらず、赤信号を無視して道路を横断しようとしている場合には、その交通違反が故意になされたことを特定できる。
【００１８】
第７の発明に係る違反抑止装置は、第６の発明に係る違反抑止装置であって、記憶部をさらに備えている。記憶部は、画像抽出部が抽出した画像を記憶する。
ここでは、記憶部は、画像抽出部が抽出した交通違反者の顔を概ね正面から撮影した画像を記憶する。
これにより、記憶部は、画像取得部が取得した画像のうち、交通違反者を特定するのに最適な画像のみを保存する。よって、記憶部の記憶容量を削減することができる。また、警察署等において、警察官が画像を確認する際に、大量の画像を確認することなく、交通違反者を特定し易い画像のみを効率よく確認することができる。
【００１９】
また、例えば、記憶部は、違反検出結果と、交通違反者および信号機を含む画像と、交通違反者の正面画像と、の少なくとも２つを関連付けて記憶してもよい。違反検出結果には、例えば、交通違反者の検出の有無、交通違反を検出したときの交通違反者の位置、違反内容、違反場所、違反日時等が含まれる。これにより、警察署等において、警察官は関連付けられた情報を確認して、交通違反の検出および立証を容易に行うことができる。
【００２０】
第８の発明に係る違反抑止装置は、第１から第７の発明のいずれか１つに係る違反抑止装置であって、音発生制御部は、交通違反者に向けて発せられる音について、音の発生時間、音の種類、音の発生範囲および音の強度の少なくとも一つを調整するように、指向性音発生装置を制御する。
ここで、交通違反者に向けて発せられる音の音発生条件について、音の発生時間、音の種類、音の発生範囲および音の強度の少なくとも一つが調整される。なお、音発生条件は、交通違反者に対する交通違反の抑止効果を達成できるものであれば、音の発生時間、音の種類、音の発生範囲および音の強度以外の条件によって定義されてもよい。
【００２１】
例えば、信号機が設置された横断歩道を赤信号において交通違反者が通行している場合に、交通違反の期間全体に亘って、交通違反者に向けて音が発せられる。交通違反者に向けて常に音が発せられるため、交通違反を犯していることを交通違反者に常に認識させることができる。逆に、所定の区間においてのみ、交通違反者に音を発してもよい。これにより、例えば、交通違反者に特に危険な区間を知らせることができる。
【００２２】
また、例えば、交通違反の期間において、交通違反者に向けて所定の発生間隔で音が発せられる。例えば、常に音が発せられるのではなく、断続音が交通違反者に向けて発せられる。これにより、交通違反者の耳に対して強い刺激を与えすぎないようにすることができる。
また、例えば、交通違反者が横断歩道を通行している区間に応じて、音の発生強度、発生時間および音の種類等が異なってもよい。これにより、交通違反者に向けて単調な音を発する場合に比べて、交通違反者に対する音による刺激が区間によって異なる。よって、交通違反者に対する注意喚起の効果が高まる。例えば、交通違反者に向けて、横断歩道の通行開始時および通行終了時は断続音が発せられ、開始時と終了時との間は連続音が発せられる。また、例えば、交通違反を開始した最初の区間から最後の区間に向かって、音の強度が徐々に強くなる。また、区間ごとに音の種類が異なってもよい。例えば、交通違反を開始した最初の区間から最後の区間に向かって、警告の度合いが徐々に強くなるように音の種類が変化してもよい。
【００２３】
また、例えば、音の発生範囲が調整されてもよい。例えば、交通違反者の体および／または顔に対して音が発せられてもよい。例えば、音は、指向性を有する音である。つまり、音は、例えば交通違反者の位置にだけ聞こえる音である。交通違反者の位置にだけ聞こえる音が発せられると、交通違反者は確実に警告音等の音を聞き取ることができる。また、例えば、交通違反者に音が発せられている場合であっても、交通違反者が、交通違反者の周囲のものに警告音等の音を聞かれていると感じた場合には、交通違反者は羞恥心を感じる。よって、交通違反者に対して交通違反を犯すこと又はくり返すことを躊躇させ、交通違反の抑止効果を高めることができる。
【００２４】
より具体的には、例えば、顔検出部は、交通違反者の顔の位置を検出してもよい。顔の位置の検出は、画像情報に基づいて行われてもよいし、センサ等の検知結果を用いて行われてもよい。指向性音発生装置は、音発生制御部の制御に基づいて、顔検出部が検出した交通違反者の顔に向けて音を発する。
この場合、交通違反者には顔に向けて音が発せられる。よって、交通違反者は、交通違反を犯している限り、耳によって音を感じ続ける。ここで、耳は最も音の刺激を受ける部分であるので、交通違反者が、交通違反を犯していることを監視されているように感じ易い。また、交通違反を犯している限り音が発せられるため、交通違反者による交通違反の認識効果、交通違反者による交通違反に対する羞恥心、および交通違反の繰り返しの抑制効果等も高めることができる。結果として、交通違反者に対して交通違反を犯すこと又はくり返すことを躊躇させ、交通違反の抑止効果を高めることができる。
【００２５】
その他、顔検出部は交通違反者の耳の位置を検出してもよい。この場合、指向性音発生装置は、音発生制御部の制御に基づいて、耳に対して音を発する。
また、例えば、交通違反者が交通違反を犯している時間の長さ、つまり赤信号で通行している時間の長さに応じて、音の強度が異なってもよい。あるいは、交通違反者が交通違反を犯している距離に応じて、音の強度が異なってもよい。例えば、交通違反の時間が長くなればなるほど、交通違反者に発せられる音の強度が強くなる。また、例えば、交通違反の距離が長くなればなるほど、交通違反者に発せられる音の強度が強くなる。交通違反の時間および距離に応じて音の強度が強くなることにより、交通違反者に対して交通違反を犯すこと又はくり返すことを躊躇させ、交通違反の抑止効果を高めることができる。なお、時間の長さおよび距離以外に、区間等に応じて音の強度が異なってもよい。
【００２６】
また、例えば、音発生制御部は、交通違反者が交通違反を行っている時間帯または照度に応じて、音の強度を制御してもよい。例えば、信号機が設置された横断歩道のある道路において交通違反者が検出されると、その道路を含む空間の照度が判定される。そして、照度が所定の閾値以下の場合に、音発生制御部は、音の強度を弱くするように制御する。ここで、照度が所定の閾値以下の場合とは、空間の照度が低い場合である。照度が所定の閾値以下の場合とは、例えば、夕方、夜間および日が昇っていない明け方等の暗い場合および薄暗い場合を含む。逆に、照度が所定の閾値より大きい場合には、音発生制御部は、音の強度を強くするように制御する。これにより、夜間等において音の強度を弱くして、横断歩道等の近くに住む周辺住民への騒音被害を抑制できる。
【００２７】
第９の発明に係る違反抑止装置は、第１から第８の発明のいずれか１つに係る違反抑止装置であって、光照射制御部をさらに備えている。光照射制御部は、交通違反者に対して光を照射する光照射装置を制御する。
ここでは、例えば、信号機が設置された横断歩道のある道路において、赤信号を無視して道路を横断しようとする交通違反者に音が発せられるとともに光が照射される。
【００２８】
これにより、交通違反を犯した交通違反者には、音が発せられるだけでなく、さらに光が照射される。よって、交通違反者は、通常の状況とは異なる状況におかれ、音及び光による刺激が交通違反者への警告になる。具体的には、交通違反者は、耳から音の刺激を受けるとともに、光の照射によって目を通じて光の刺激を受ける。そのため、これらの相乗効果によって、交通違反者に対して、交通違反を犯していることを認識させる効果を高めることができる。
【００２９】
例えば、音としては、交通違反者に向けて指向性のある音が発せられる。つまり、例えば交通違反者に向けて集中的に音が発せられる。交通違反者に向けて集中的に発せられる音としては、例えば交通違反者の位置にだけ聞こえる音等が挙げられる。交通違反者の位置に聞こえる音が発せられると、交通違反者は確実に警告音等の音を聞き取ることができる。また、例えば、交通違反者に音が発せられている場合であっても、交通違反者が、交通違反者の周囲のものに警告音等の音を聞かれていると感じた場合には、交通違反者は羞恥心を感じる。また、音が発せられるという経験に基づいて、交通違反者に対して、今後この場所において交通違反を犯すことを控えさせることができる。よって、交通違反者に対して交通違反を犯すこと又はくり返すことを躊躇させ、交通違反の抑止効果を高めることができる。
【００３０】
また、例えば、交通違反者に対して照射する光としては、横断歩道を照らす光、交通違反者に対して集中的に照射するスポット光などが挙げられる。例えば、スポット光が照射された交通違反者は、周囲から目立つため羞恥心を感じる。また、光が照射されるという経験に基づいて、交通違反者に対して、今後この場所において交通違反を犯すことを控えさせることができる。よって、交通違反者に対して交通違反を犯すこと又はくり返すことを躊躇させ、交通違反の抑止効果を高めることができる。
【００３１】
第１０の発明に係る違反抑止システムは、第１から第９の発明のいずれか１つに係る違反抑止装置と、音発生制御部からの制御によって、交通違反者に向けて音を発する指向性音発生装置と、を備えている。
ここでは、上述した違反抑止装置と、音発生制御部からの制御によって、交通違反者に向けて音を発する指向性音発生装置とを用いて違反抑止システムを構成している。
【００３２】
これにより、交通違反者に向けて指向性のある音が発せられる。つまり、例えば交通違反者に向けて集中的に音が発せられる。交通違反者に向けて集中的に発せられる音としては、例えば交通違反者の位置にだけ聞こえる音等が挙げられる。交通違反者の位置にだけ聞こえる音が発せられると、交通違反者は確実に警告音等の音を聞き取ることができる。また、例えば、交通違反者に音が発せられている場合であっても、交通違反者が、交通違反者の周囲のものに警告音等の音を聞かれていると感じた場合には、交通違反者は羞恥心を感じる。また、音が発せられるという経験に基づいて、交通違反者に対して、今後この場所において交通違反を犯すことを控えさせることができる。よって、交通違反者に対して交通違反を犯すこと又はくり返すことを躊躇させ、交通違反の抑止効果を高めることができる。
【００３３】
また、例えば、音発生制御部は、交通違反者の移動に追従して交通違反者に向けて音を発するように、指向性音発生装置を制御してもよい。このとき、指向性音発生装置からの音が指向性を有すると、例えば交通違反者に向けて集中的に音が発せられるとともに、交通違反者の移動に追従するように音が発せられる。
そのため、例えば、交通違反者は、交通違反を犯している限り、音から逃れることはできない。よって、交通違反者は、交通違反を犯していることを監視されているように感じる。また、交通違反を犯している限り音が発せられるため、交通違反者の交通違反に対する認識、交通違反者の交通違反に対する羞恥心および交通違反の繰り返しの抑制効果等もさらに高まる。結果として、交通違反者に向けて交通違反を犯すこと又はくり返すことを躊躇させ、交通違反の抑止効果を高めることができる。
【００３４】
第１１の発明に係る違反抑止システムは、第１０の発明に係る違反抑止システムであって、指向性音発生装置は、横断歩道を含む道路付近に設置されている。
ここでは、交通違反者に向けて音を発する指向性音発生装置を、例えば赤信号無視の違反が発生しやすい横断歩道を含む道路の付近に設置している。
これにより、赤信号を無視して横断歩道を横断する交通違反者に向けて効率よく音を発することができる。結果として、交通違反者に対して交通違反を犯すこと又はくり返すことを躊躇させ、交通違反の抑止効果を高めることができる。
【００３５】
第１２の発明に係る違反抑止システムは、第１０または第１１の発明に係る違反抑止システムであって、指向性音発生装置は、横断歩道を含む道路に設置された歩行者用信号機の近傍に設置されている。
ここでは、交通違反者に向けて音を発する指向性音発生装置を、例えば赤信号無視の違反が発生しやすい横断歩道を含む道路に設置された歩行者用信号機の近傍に設置している。ここで、例えば、歩行者用信号機は、交通違反者の進行方向と対向する位置に設けられている。
【００３６】
これにより、赤信号を無視して横断歩道を横断する交通違反者に向けて直接的かつ効率的に音を発することができる。よって、交通違反者は、確実に警告音などの音を聞き取ることができる。結果として、交通違反者に対して交通違反を犯すこと又はくり返すことを躊躇させ、交通違反の抑止効果を高めることができる。
【００３７】
第１３の発明に係る違反抑止システムは、第３から第７の発明のいずれか１つに係る違反抑止装置と、横断歩道を含む道路に設置され、画像取得部において取得される画像を撮影する撮像装置と、を備えている。
ここでは、上述した画像取得部を有する違反抑止装置と、横断歩道を含む道路に設置され、違反抑止装置の画像取得部に対して交通違反者を含む画像を供給する撮像装置と、を用いて違反抑止システムを構成している。
なお、撮像装置は、例えば、交通違反者の顔が確認しやすい画像が得られるように、横断歩道を含む道路に設置されていることが好ましく、さらには横断歩道に設置された信号機の近傍に設置されていることが好ましい。
【００３８】
これにより、例えば、信号機が設置された横断歩道のある交差点等に設置されたカメラ（撮像装置）によって、通行する歩行者や自転車の撮影を行い、その画像を用いて交通違反者の特定を行うことができる。
この結果、例えば、警察署等において、本システムによって特定された交通違反者に基づいて、交通違反の取締りを実施することができる。
【００３９】
第１４の発明に係る違反抑止システムは、第９の発明に係る違反抑止装置と、光照射制御部によって制御され、交通違反者に対して光を照射する光照射装置と、を備えている。
ここでは、上述した光照射制御部を有する違反抑止装置と、光照射制御部からの制御によって、交通違反者に対して光を照射する光照射装置と、を用いて違反抑止システムを構成している。
【００４０】
例えば、信号機が設置された横断歩道のある道路において、光照射装置は、赤信号を無視して道路を横断しようとする交通違反者に対して光を照射する。
これにより、交通違反を犯した交通違反者には、音が発せられるだけでなく、さらに光が照射される。よって、交通違反者は、通常の状況とは異なる状況におかれ、交通違反者への音及び光による刺激が交通違反者への警告になる。そのため、これらの相乗効果によって、交通違反者に対して、交通違反を犯していることを認識させる効果を高めることができる。
【００４１】
より具体的には、交通違反者は、耳から音の刺激を受けるとともに、光の照射によって目を通じて光の刺激を受ける。そのため、交通違反者に対して、交通違反を犯していることを認識させる効果を高めることができる。また、音や光にさらされる経験に基づいて、交通違反者に対して、今後この場所において交通違反を犯すことを控えさせることができる。結果として、交通違反者に対して交通違反を犯すこと又はくり返すことを躊躇させ、交通違反の抑止効果を高めることができる。
【００４２】
第１５の発明に係る違反抑止システムは、第１４の発明に係る違反抑止システムにおいて、光照射装置は、交通違反者に対して指向性を有する光を照射する。
ここでは、例えば、信号機が設置された横断歩道のある道路において、赤信号を無視して道路を横断しようとする交通違反者に対して、光照射装置は指向性を有する光を照射する。
【００４３】
光照射装置からの光が指向性を有するため、例えば、交通違反者に対して集中的に光が照射される。交通違反者に対して集中的に照射される光としては、例えば交通違反者だけが照らされるスポット光等が挙げられる。指向性のある光を照射された交通違反者は、周囲から目立つため羞恥心を感じる。また、光にさらされる経験に基づいて、交通違反者に対して、今後この場所において交通違反を犯すことを控えさせることができる。結果として、交通違反者に対して交通違反を犯すこと又はくり返すことを躊躇させ、交通違反の抑止効果を高めることができる。指向性のある光は、例えば、交通違反者の体、または顔などの体の一部に照射される。
【００４４】
ここで、例えば、違反抑止装置の光照射制御部は、交通違反者の移動に追従して交通違反者に対して光を照射するように、光照射装置を制御してもよい。このとき、光照射装置からの光が指向性を有すると、例えば交通違反者に対して集中的に光が照射されるとともに、交通違反者の移動に追従するように光が照射される。
そのため、例えば、交通違反者は、交通違反を犯している限り、光の照射から逃れることはできない。つまり、交通違反者は、交通違反を犯している限り、目によって光を感じ続ける。目は最も光の刺激を受ける部分であるので、交通違反者が、交通違反を犯していることを監視されているように感じ易い。また、交通違反を犯している限り音が発せられるため、交通違反者の交通違反に対する認識、交通違反者の交通違反に対する羞恥心および交通違反の繰り返しの抑制効果等も高めることができる。結果として、交通違反者に対して交通違反を犯すこと又はくり返すことを躊躇させ、交通違反の抑止効果を高めることができる。
【発明の効果】
【００４５】
本発明に係る違反抑止装置およびこれを備えた違反抑止システムによれば、信号無視等の交通違反の抑止効果を高めることができる。
【図面の簡単な説明】
【００４６】
【図１】本発明の一実施形態に係る違反抑止装置を含む違反抑止システムの構成を示すブロック図。
【図２】図１の違反抑止システムに含まれる信号機上に設置されたカメラおよびスピーカと、赤信号無視して横断歩道を渡る歩行者とを示す図。
【図３】図１の違反抑止システムに含まれる信号機上に設置されたカメラおよびスピーカと、赤信号無視して横断歩道を渡る自転車とを示す図。
【図４】図１の違反抑止システムに含まれる違反検出部の構成を示すブロック図。
【図５】図１の違反抑止システムに含まれる行動検出部の構成を示すブロック図。
【図６】図１の違反抑止システムに含まれる音発生制御部の構成を示すブロック図。
【図７Ａ】図６の音発生制御部に含まれる音発生条件ＤＢのデータ例。
【図７Ｂ】図６の音発生制御部に含まれる音発生条件ＤＢのデータ例。
【図７Ｃ】図６の音発生制御部に含まれる音発生条件ＤＢのデータ例。
【図７Ｄ】図６の音発生制御部に含まれる音発生条件ＤＢのデータ例。
【図７Ｅ】図６の音発生制御部に含まれる音発生条件ＤＢのデータ例。
【図８】図１の違反抑止システムに含まれる信号機上に設置されたカメラおよびスピーカと、赤信号無視して横断歩道を渡る歩行者に音が発せられる様子を示す図。
【図９】図１の違反抑止システムに含まれる信号機上に設置されたカメラおよびスピーカと、赤信号無視して横断歩道を渡る歩行者の顔に音が発せられる様子を示す図。
【図１０】図１の違反抑止システムに含まれる信号機上に設置されたカメラおよびスピーカと、赤信号無視して横断歩道を渡る歩行者の移動に追従して音が発せられる様子を示す図。
【図１１】図１の違反抑止システムに含まれる画像抽出部の構成を示すブロック図。
【図１２】図１の違反抑止システムに含まれる記憶部内に形成される各情報を格納する記憶領域を示すブロック図。
【図１３】図１の違反抑止システムに含まれる表示部に表示される表示画面を示す図。
【図１４】（ａ），（ｂ）は、図１の違反抑止システムに含まれる表示部に表示される切替可能な表示画面を示す図。
【図１５】図１の違反抑止システムに含まれる表示部に表示される人物特定用の表示画面を示す図。
【図１６】本発明の他の実施形態に係る違反抑止装置を含む違反抑止システムの構成を示す図。
【図１７】図１６の違反抑止装置に含まれる違反検出部の構成を示すブロック図。
【図１８】本発明の他の実施形態に係る違反抑止装置を含む違反抑止システムの構成を示す図。
【図１９】図１８の違反抑止装置に含まれる行動検出部の構成を示すブロック図。
【図２０】本発明の他の実施形態に係る違反抑止装置を含む違反抑止システムの構成を示す図。
【図２１】（ａ）〜（ｃ）は、本発明のさらに他の実施形態に係る違反抑止システムにおける信号機に取り付けられたカメラおよびスピーカの設置例を示す図。
【図２２】図１の違反抑止システムに含まれる信号機上に設置されたカメラおよびスピーカと、赤信号無視して横断歩道を渡る歩行者とを示す図。
【図２３】本発明の他の実施形態に係る違反抑止システムに含まれる信号機上に設置されたカメラおよびスピーカと、赤信号無視して横断歩道を渡る歩行者とを示す図。
【図２４】本発明の他の実施形態に係る違反抑止装置を含む違反抑止システムの構成を示す図。
【図２５】図２４の違反抑止システムに含まれる照度判定部の構成を示すブロック図。
【図２６】図２５の照度判定部に含まれる照度判定ＤＢのデータ例。
【図２７Ａ】図２４の音発生制御部に含まれる音発生条件ＤＢのデータ例。
【図２７Ｂ】図２４の音発生制御部に含まれる音発生条件ＤＢのデータ例。
【発明を実施するための形態】
【００４７】
本発明の一実施形態に係る違反抑止装置１０およびこれを備えた違反抑止システム１について、図１〜図１５を用いて説明すれば以下の通りである。
＜１、違反抑止システム１の構成＞
本実施形態に係る違反抑止システム１では、歩行者や自転車等による信号無視等の交通違反の抑止効果を高めるために、スピーカ（指向性音発生装置）２７によって交通違反者に向けて音を発する。つまり、本実施形態に係る違反抑止システム１は、信号機４０が設置された横断歩道Ｚのある道路の近傍において、例えば、赤信号を無視して道路を横断しようとする歩行者や自転車等の交通違反を検出し、その交通違反者を検出する。この場合、違反抑止システム１は、交通違反者に向けて音を発する。これにより、交通違反を犯した交通違反者に対して、交通違反を犯していることを認識させる効果を高めることができる。また、交通違反者に向けて音が発せられるという経験に基づいて、交通違反者に対して、今後この場所において交通違反を犯すことを控えさせることができる。結果として、交通違反者に対して交通違反を犯すこと又はくり返すことを躊躇させ、交通違反の抑止効果を高めることができる。
【００４８】
このため、本違反抑止システム１は、例えば、歩行者用の信号機４０が設置された横断歩道Ｚのある道路の近傍等に設置される。より具体的には、例えば、本違反抑止システム１のうち、違反抑止装置１０、カメラ２０、およびスピーカ２７は信号機４０が設置された横断歩道Ｚのある道路の近傍に設置される。また、本違反抑止システム１のうち、表示部２１は、警察署等に設置される。
【００４９】
警察署等では、表示部２１が設置されることで、本違反抑止システム１において交通違反の発生であると検出したケースについて、警察官等が交通違反の画像等を確認することができる。そして、警察官等が、後述する手順に従って抽出された画像を確認しながら交通違反として取り締まりの対象とするか否かの判定を行うこともできる。つまり、本違反抑止システム１は、交通違反者に対して交通違反の抑止効果を高めるだけでなく、警察官等が効率よく交通違反の取締りを実施できるようにサポートするためのシステムとしても活用される。実際に使用される際には、本違反抑止システム１と接続されたＰＣ（Personal Computer）やタブレット端末等を用いて、警察官等がマウスやキーボードを用いて、１件ずつＰＣの表示画面を確認しながら、取り締まりが行われる。
【００５０】
具体的には、本実施形態の違反抑止システム１は、図１に示すように、違反抑止装置１０と、カメラ（撮像装置）２０と、表示部２１と、スピーカ（指向性音発生装置）２７と、を備えている。
なお、本実施形態では、図２等に示すように、上段に赤信号４０ａ、下段に青信号４０ｂの表示が配列された歩行者用の信号機４０を用いて説明する。そして、以下の説明において画像中に含まれる信号機４０は、全て赤信号４０ａ側が点灯している状態を示しているものとする。
【００５１】
（違反抑止装置１０）
本実施形態の違反抑止装置１０は、カメラ２０によって撮影された画像に基づいて、信号機４０が設置された横断歩道Ｚのある道路において、赤信号４０ａを無視して道路を横断しようとする歩行者や自転車等の交通違反者を検出する。この検出結果に基づいて、違反抑止装置１０は、交通違反者に向けてスピーカ２７から音を発する。具体的には、スピーカ２７は、交通違反者に向けて指向性のある音を発する。つまり、スピーカ２７は、例えば交通違反者に向けて集中的に音を発する。交通違反者に向けて集中的に発せられる音としては、例えば交通違反者の位置だけに聞こえる音等が挙げられる。なお、違反抑止装置１０の詳細な構成については、後段にて詳述する。
【００５２】
（カメラ２０）
違反抑止装置１０に対して画像を供給するカメラ２０は、図２に示すように、歩行者用の信号機４０の近傍（ここでは、信号機４０の上部）に取り付けられており、赤信号４０ａを無視して横断歩道Ｚを渡る歩行者Ａ１を正面から撮影する。このとき、カメラ２０は、赤信号４０ａを無視して横断歩道Ｚを横断する歩行者Ａ１とともに、歩行者Ａ１の横あるいは背後にある信号機４０（赤信号４０ａが点灯）を含む画像が撮影されるように設置されている。
【００５３】
これにより、違反を犯した歩行者Ａ１とともに赤信号４０ａ点灯時の信号機４０を含む画像Ｐ１（図１３等参照）を取得することができる。よって、この画像Ｐ１を、赤信号無視の交通違反の立証用、および交通違反者の特定用の画像として用いることができる。
また、カメラ２０は、歩行者Ａ１以外に、図３に示すように、赤信号４０ａを無視して横断歩道Ｚを渡る自転車Ｂの運転者Ａ２についても正面から撮影する。
【００５４】
そして、カメラ２０は、横断歩道Ｚおよびその横断歩道Ｚを横断する歩行者Ａ１や自転車Ｂの運転者Ａ２を含む画像を連続的に撮像する。そして、カメラ２０は、後述する違反抑止システム１の画像取得部１１に対して、撮像した画像を送信する。
なお、カメラ２０は、例えば、毎秒１５コマで画素数５Ｍの画像を連続的に撮像する。カメラ２０によって撮影される画像は、連続的に撮影された静止画であってもよいし、動画であってもよい。また、カメラ２０による撮影は、常時、連続的に行われてもよいし、交通違反を検出してから所定時間の間だけ、行われてもよい。さらに、交通違反の有無に関わらずに撮影領域での人の存在を検知している間だけ、カメラ２０による撮影が行われてもよい。
【００５５】
本実施形態では、カメラ２０は、図２および図３に示すように、横断歩道Ｚを挟み込むように対向配置されている。このため、各カメラ２０は、横断歩道Ｚを横断する歩行者Ａ１や自転車Ｂの運転者Ａ２等を正面から撮像する。
ここで、図２および図３に示すように、カメラ２０が信号機４０の上部へ取り付けられているため、カメラ２０は、歩行者Ａ１や自転車Ｂの運転者Ａ２等の目線よりも高い位置に設置される。
【００５６】
これにより、カメラ２０は、横断歩道Ｚを渡る歩行者Ａ１等の顔をやや上方正面から撮影することができるため、交通違反者の特定を行う際の画像として最適な画像を得ることができる。
ここで、赤信号４０ａを無視して横断歩道Ｚを横断する歩行者Ａ１等は、信号無視する直前に、信号機４０の色を確認すると推測される。そして、本実施形態では、カメラ２０が信号機４０に取り付けられている。
【００５７】
これにより、信号無視しようとする歩行者Ａ１等の交通違反者が信号機４０を見た際にカメラ２０によって撮影された画像は、交通違反者がカメラ２０の方向を見た状態（交通違反者の顔がカメラ２０に正対した状態）となる。
よって、交通違反者の顔がカメラ２０に正対した状態で撮影されるため、交通違反者の特定を行う際の画像として最適な画像を得ることができる。つまり、最適な画像には、交通違反者の顔の概ね全体が写っているため、交通違反者の特定が容易となる。これによれば、例えば、警察署等において、交通違反者の特定や、交通違反の検出および立証が容易である。
なお、カメラ２０は、交通違反の検出を行う横断歩道Ｚの近傍に設置され、交通違反者および信号機４０の画像を取得できればよく、信号機４０に取り付けられている必要はない。
【００５８】
（表示部２１）
本実施形態の違反抑止システム１に含まれる表示部２１は、例えば、液晶ディスプレイ等の表示装置である。表示部２１には、歩行者や自転車による信号無視等の交通違反の状況が表示可能である。これにより、例えば警察署及び警備会社の関係者など違反抑止システム１の管理者が、交通違反の状況を確認可能である。また、警察官が、歩行者や自転車による信号無視等の交通違反の取締りを行う際に、検出された交通違反の内容（種類）、交通違反者に関する情報、各種画像等を表示部２１に表示する。
【００５９】
そして、表示部２１は、後述する違反抑止装置１０の表示制御部１７によって、交通違反および交通違反者に関する情報等と、これに関連付けされた１枚あるいは複数の画像情報とを関連付けて表示するように制御される。
なお、表示部２１の表示画面における表示態様については、後段の図１３〜図１５を用いて詳述する。
【００６０】
（スピーカ２７）
スピーカ２７は、例えば指向性音発生装置である。スピーカ２７は、後述の音発生制御部１９の制御に基づいて、交通違反者に向けて音を発する。具体的には、スピーカ２７は、交通違反者に向けて指向性のある音を発する。つまり、スピーカ２７は、例えば交通違反者に向けて集中的に音を発する。交通違反者に向けて集中的に発せられる音としては、例えば交通違反者の位置にだけ聞こえ、その他の位置には聞こえない又は聞こえにくい音等が挙げられる。スピーカ２７は、例えば、図２および図３に示すような音発生範囲ＳＡで示される音を交通違反者に向けて発する。
【００６１】
スピーカ２７は、交通違反者に向けて音を発することが可能な指向性音発生装置であれば、形状等は限定されない。スピーカ２７から発せられる音は、交通違反者に対して報知可能な音であれば限定されない。発せられる音としては、例えば、連続音、断続音、音の強弱が変化するサイレン、および交通違反を報知する音声などが挙げられる。
スピーカ２７は、本実施形態では、図２および図３に示すように、信号機４０が設置された横断歩道Ｚのある交差点において、交通違反者の進行方向と対向する位置に設置されていることが好ましい。例えば、スピーカ２７は、横断歩道Ｚに設置された信号機４０の近傍に設置されていてもよい。これにより、例えば、信号機４０が設置された横断歩道Ｚのある交差点等に設置されたスピーカ２７によって、交通違反者に向けて指向的、直接的かつ効率的に音を発することができる。この結果、交通違反者に対して交通違反を犯すことを躊躇させ、交通違反の抑止効果を高めることができる。また、交通違反者に対して、今後この場所において交通違反を犯すことを控えさせ、交通違反の抑止効果を高めることができる。
【００６２】
ただし、スピーカ２７は、交通違反の検出を行う横断歩道Ｚの近傍に設置されていればよく、信号機４０に取り付けられている必要はない。また、スピーカ２７、およびカメラ２０の配置位置も図２および図３に限定されず、スピーカ２７およびカメラ２０の上下関係は順不同であってもよい。また、スピーカ２７およびカメラ２０は横方向に並んで設けられていてもよい。
また、スピーカ２７は、後述の行動検出部１８での検出結果に基づいて、交通違反者の移動に応じて可動なように設けられていてもよい。例えば、スピーカ２７は上下左右および周方向などに動くことが可能である。ただし、スピーカ２７は可動式である必要はなく、固定されていてもよい。固定されたスピーカ２７は、四方に向かって指向性のある音を発することができるように構成されていると好ましい。
【００６３】
＜２、違反抑止装置１０の構成＞
本実施形態の違反抑止装置１０は、図２および図３に示すように、カメラ２０によって撮影された画像を取得して、赤信号４０ａを無視して横断歩道Ｚを横断する交通違反者（歩行者Ａ１や自転車Ｂの運転者Ａ２）を検出する。そして、違反抑止装置１０は、スピーカ２７を制御してその交通違反者に向けて音を発する。つまり、違反抑止装置１０は、赤信号無視等の交通違反を検出してその交通違反者に向けて指向性のある音を発する。これにより、交通違反者に対して、交通違反を犯すことを躊躇させ、交通違反の抑止効果を高めることに使用される。さらには、交通違反者に対して、音が発せられるという経験に基づいて、今後この場所において交通違反を犯すことを控えさせ、交通違反の抑止効果を高めることに使用される。
具体的には、違反抑止装置１０は、図１に示すように、画像取得部１１と、違反検出部１２と、画像抽出部１３と、記憶部１６と、表示制御部１７と、行動検出部１８と、音発生制御部１９と、を備えている。
【００６４】
（画像取得部１１）
画像取得部１１は、カメラ２０によって連続的に撮像された複数の画像を取得する。そして、画像取得部１１は、これらの複数の画像を、違反検出部１２、画像抽出部１３および行動検出部１８へと送信する。また、画像取得部１１は、複数の画像を記憶部１６に送信してもよい。
【００６５】
（違反検出部１２）
違反検出部１２は、画像取得部１１から受信した複数の画像を用いて、信号無視等の特定の交通違反を立証するために必要な条件を満たす画像を選択する。具体的には、違反検出部１２は、複数の画像の中から、赤信号４０ａを無視して横断歩道Ｚを渡る歩行者Ａ１および自転車Ｂの運転者Ａ２等と、信号機４０と、を含む画像を選択する。画像の選択時には、画像の写り具合、内容、鮮明さ等の交通違反の立証に必要な条件に基づいて、最適な１枚、あるいは複数枚の画像が抽出される。
【００６６】
ここで、赤信号無視の交通違反を検出する場合には、違反検出部１２は、信号機４０の切り替わり情報（信号機制御信号）や、画像から検出された赤信号４０ａの表示等に基づいて、赤信号４０ａが点灯していたか否かを判定することができる。そして、違反検出部１２は、赤信号４０ａの点灯時に横断歩道Ｚを横断する交通違反者を検出した場合には、交通違反があったことを検出する。なお、違反検出部１２は、横断歩道Ｚにおける交通違反者の位置を特定してもよい。
【００６７】
より具体的には、例えば、１つの画像において、画像中の信号機４０が赤信号４０ａであり、歩行者Ａ１や自転車Ｂの運転者Ａ２が横断歩道Ｚ内に進入している画像が得られた場合、信号無視の交通違反者が検出でき、かつその交通違反者の位置等を検出することができる（図１３等参照）。
違反検出部１２は、交通違反者の検出の有無、および交通違反を検出したときの交通違反者の位置等の違反検出結果を音発生制御部１９に出力する。なお、交通違反者の検出の有無には、交通違反の有無も含まれてもよい。
なお、違反検出部１２における交通違反を検出する処理内容については、図４を用いて後段にて詳述する。
【００６８】
（行動検出部１８）
行動検出部１８は、交通違反者（歩行者Ａ１や自転車Ｂの運転者Ａ２）の行動を検出する。交通違反者の行動としては、交通違反者の横断歩道Ｚ内での移動が含まれる。
【００６９】
具体的には、行動検出部１８は、画像取得部１１から信号無視等の交通違反が検出された複数の画像を取得する。行動検出部１８は、複数の画像に基づいて、例えば横断歩道Ｚ内において交通違反者の移動を時系列に沿って検出する。
行動検出部１８は、時系列に沿った交通違反者の移動を含む交通違反者の行動を、音発生制御部１９に出力する。
【００７０】
なお、上記では行動検出部１８は、交通違反者の横断歩道Ｚ内での行動を検出している。しかし、交通違反者は、横断歩道Ｚから外れて道路を横断する場合も考えられる。よって、行動検出部１８は、横断歩道Ｚから外れた交通違反者の行動を検出してもよい。
なお、行動検出部１８における交通違反者の行動の抽出処理については、図５を用いて後段にて詳述する。
【００７１】
（音発生制御部１９）
音発生制御部１９は、違反検出部１２から交通違反者の検出の有無、および交通違反を検出したときの交通違反者の位置等の違反検出結果を受信する。音発生制御部１９は、違反検出部１２において検出された交通違反者（歩行者Ａ１や自転車Ｂの運転者Ａ２）に向けて音を発するように、スピーカ２７を制御する。なお、違反検出結果には、違反内容、違反場所、違反日時等が含まれていてもよい。
【００７２】
例えば、音発生制御部１９は、違反検出部１２から交通違反があった時の交通違反者の位置を取得すると、スピーカ２７を制御して交通違反者に向けて音を発する。これにより、交通違反を犯す交通違反者に向けて音が発せられる。具体的には、スピーカ２７は、交通違反者に向けて指向性のある音を発する。つまり、スピーカ２７は、例えば交通違反者に向けて集中的に音を発する。交通違反者に向けて集中的に発せられる音としては、例えば交通違反者の位置だけに聞こえる音等が挙げられる。
【００７３】
また、音発生制御部１９は、行動検出部１８から交通違反者の移動情報を受信する。音発生制御部１９は、スピーカ２７を制御して、交通違反者に向けて集中的に音を発するとともに、交通違反者の移動に追従して音を発する。
また、音発生制御部１９は、顔検出部１３ａから交通違反者の顔や耳の位置の動きを取得した場合には、スピーカ２７を制御して、交通違反者の顔や耳の位置の動きに追従するように音を発してもよい。
【００７４】
このように音発生制御部１９の制御によってスピーカ２７から交通違反者に音が発せられる。よって、交通違反者は、通常の状況とは異なる状況におかれ、交通違反者への音の発生が交通違反者への警告になる。より具体的には、交通違反者は、耳を通じて音の刺激を受ける。そのため、交通違反者に対して、交通違反を犯していることを認識させる、または交通違反を犯していることを誰かに見られているということを認識させる効果を高めることができる。さらには、例えば、音が発せられた交通違反者は、周囲から目立つため羞恥心を感じる。
【００７５】
結果として、交通違反者に対して交通違反を犯すことを躊躇させたり、今後この場所において交通違反を犯すことを控えさせたりすることができ、交通違反の抑止効果を高めることができる。
なお、音発生制御部１９における音発生の制御処理については、図６、図７Ａ〜図７Ｅを用いて後段にて詳述する。
【００７６】
（画像抽出部１３）
画像抽出部１３は、交通違反者を特定するために最適な画像を抽出する。ここで、画像抽出部１３において抽出される画像としては、例えば、交通違反者の顔が特定しやすいように、正面から交通違反者の顔を撮影した画像等が挙げられる。交通違反者の顔の正面の画像を取得するためには、交通違反者の顔の向きを検出する必要がある。
【００７７】
また、音発生制御部１９が、交通違反者の顔に向けて音を発すると、耳を介して交通違反者に対して強い警告となる。交通違反者の顔に向けて音を発すためには、交通違反者の顔の位置を検出する必要がある。
このように顔の向き及び／又は顔の位置を取得するために、画像抽出部１３は、図１に示すように、顔検出部１３ａを有している。
【００７８】
顔検出部１３ａは、画像取得部１１から受信した複数の画像に含まれる交通違反者（歩行者Ａ１や自転車Ｂの運転者Ａ２等）の顔の位置及び／又は顔の向きを検出する。
これにより、画像抽出部１３は、顔検出部１３ａが検出した顔の向きに基づいて、歩行者Ａ１等の顔の向きが、カメラ２０が設置された信号機４０に対して正対した状態の画像を抽出することができる。また、音発生制御部１９は、顔検出部１３ａが検出した顔の位置に基づいて、交通違反者の顔に向けて音を発することができる。
なお、顔検出部１３ａにおける顔の位置及び／又は顔の向きを検出処理と、画像抽出部１３における最適画像の抽出処理とについては、図１３を用いて後段にて詳述する。
【００７９】
（記憶部１６）
記憶部１６は、違反検出部１２において検出された違反検出結果、画像抽出部１３において抽出された違反立証用の最適画像等を互いに関連付けて保存する。より具体的には、記憶部１６は、例えば、違反検出部１２の検出結果と、交通違反者および信号機４０を含む画像と、交通違反者の正面画像と、の少なくとも２つを関連付けて記憶する。ここで、違反検出部１２の検出結果とは、交通違反者の有無や交通違反を検出したときの交通違反者の位置等である。これにより、警察署等において、警察官は関連付けられた情報を確認して、交通違反の検出および立証を容易に行うことができる。なお、違反検出結果には、違反内容、違反場所、違反日時等が含まれていてもよい。
【００８０】
なお、記憶部１６には、違反検出部１２および画像抽出部１３から、交通違反の立証およびその交通違反者の特定に必要な画像だけが送信されると好ましい。このため、記憶部１６には、信号無視等の交通違反とは関係のない画像、交通違反の立証には適さない不鮮明な画像、交通違反者を特定できない画像等は保存されない。よって、記憶部１６の記憶容量を削減することができる。また、警察署等において、警察官が画像を確認する際に、大量の画像を確認することなく、交通違反者を特定し易い画像のみを効率よく確認することができる。
ただし、記憶部１６には、画像抽出部１３が撮影した全ての画像が保存されてもよい。
なお、記憶部１６が記憶する情報については、図１２を用いて後段にて詳述する。
【００８１】
（表示制御部１７）
表示制御部１７は、記憶部１６に保存された交通違反に関する情報、その交通違反者の情報、およびこれに関連付けされた１枚あるいは複数の画像を効果的に表示するように、表示部２１を制御する。
【００８２】
＜２−１、違反検出部１２における処理＞
違反検出部１２の詳細な処理内容について、図４を用いて説明すれば以下の通りである。
違反検出部１２は、図４に示すように、違反ＤＢ（データベース）１２ａと、違反判定手段１２ｂと、を有している。
違反ＤＢ１２ａは、図４に示すように、信号無視等の交通違反を立証するための条件（立証に使える画像の条件を含む）に関する情報を保存している。
ここで、信号無視等の交通違反を立証するための条件とは、カメラ２０が設置された横断歩道Ｚのある道路における信号機４０を含む画像情報、信号機４０の切り替わりに関する情報（信号機制御信号等）等が含まれる。
【００８３】
また、立証に使える画像の条件とは、証拠となる画像内容が、検出される交通違反に対して満たさなければならない条件を意味している。例えば、１枚の画像中に、赤信号４０ａと交通違反者である歩行者Ａ１等が含まれている等の条件が考えられる。あるいは、複数の画像を組み合わせて立証する場合には、１枚目の画像中に、赤信号４０ａを無視して横断歩道Ｚ内に進入した歩行者Ａ１を含んでおり、２枚目の画像中に、その歩行者Ａ１を正面から撮影した際の顔の部分が含まれる等の条件等がある。
【００８４】
なお、この違反検出に必要な画像の条件としては、各国において規定された法律等に基づいて設定されていればよく、国ごと、自治体ごとに異なっていてもよい。
違反判定手段１２ｂは、図４に示すように、違反ＤＢ１２ａに保存された立証条件を踏まえて、画像取得部１１において取得された複数の画像（画像情報）の中から特定の画像を取り出す。この特定の画像は、信号無視の交通違反として立証可能であると判定された画像である。
【００８５】
そして、違反判定手段１２ｂは、取り出した画像を照合して、画像に含まれる歩行者Ａ１等が信号無視の交通違反を犯したか否かを検出する。つまり、違反判定手段１２ｂは、交通違反の有無およびその交通違反者等を検出する。このとき、違反検出部１２は、画像に基づいて、信号機４０が赤信号であるか否かを検出してもよい。あるいは、違反検出部１２は、画像に写っている信号機４０を制御している制御情報に基づいて、信号機４０が赤信号であるか否かを検出してもよい。そして、違反検出部１２は、信号機４０が赤信号であるときに、横断歩道等を通行している交通違反者を検出する。信号機４０は、例えば歩行者用信号機であってもよい。この場合、画像に写っている歩行者用信号機が赤であることに基づいて、歩行者等が交通違反を犯していることを検出できる。あるいは、信号機４０は、例えば自動車用信号機であってもよい。この場合、画像に写っている自動車用信号機が青であることに基づいて、相反関係にある歩行者用信号機が赤であることが特定されてもよい。
【００８６】
なお、違反判定手段１２ｂは、交通違反の有無およびその交通違反者の検出の有無等に加えて、交通違反を検出したときの交通違反者の位置、違反内容、違反場所、違反日時等を検出してもよい。
違反判定手段１２ｂは、交通違反としての立証に適した違反特定用の画像Ｐ１（図１３等参照）を抽出して、記憶部１６へ送信する。
【００８７】
なお、画像を用いた交通違反の検出としては、例えば、５００万画素の画像中に、機能ごとに処理領域を設定してもよい。例えば、信号機を含む領域を赤信号検知処理領域として設定し、横断歩道Ｚの停止線付近から横断歩道Ｚ内への領域を交通違反者検知処理領域として設定する。
赤信号検知処理領域では、例えば、画像処理によって、信号機４０が赤信号４０ａに変わったタイミングを検出することで、赤信号無視の歩行者Ａ１や自転車Ｂを検出する際のトリガとなる。これにより、例えば交通違反の有無等を検出可能である。
【００８８】
交通違反者検知処理領域では、信号無視して横断歩道Ｚを横断する歩行者Ａ１や自転車Ｂの運転者Ａ２等を検出する。これにより、例えば交通違反を犯した交通違反者等を検出可能である。さらに、この領域では、各種違反情報（例えば、交通違反者の数等）を収集することも可能である。
そして、違反判定手段１２ｂは、図４に示すように、違反検出結果（交通違反者の検出の有無、および交通違反を検出したときの交通違反者の位置、違反内容、違反場所、違反日時等）と、違反検出情報（違反特定用の画像Ｐ１、違反内容に関する情報等）とを、記憶部１６に対して出力する。さらに、違反判定手段１２ｂは、違反検出結果を画像抽出部１３、行動検出部１８、および音発生制御部１９へ出力する。
【００８９】
＜２−２、行動検出部１８における処理＞
行動検出部１８の詳細な処理内容について、図５を用いて説明すれば以下の通りである。
行動検出部１８は、図５に示すように、交通違反者抽出手段１８ａと、行動追跡手段１８ｂと、を有している。
交通違反者抽出手段１８ａは、違反検出部１２から取得した違反検出結果に基づいて、画像取得部１１から複数の画像（画像情報）を取得する。ここで、違反検出部１２での違反検出結果とは、交通違反者の有無、交通違反を検出したときの交通違反者の位置、違反内容、違反場所、違反日時等である。つまり、交通違反者抽出手段１８ａは、違反検出結果に基づいて、その交通違反がおこなわれている時の複数の画像を抽出する。交通違反者の一連の行動を検出するために、この複数の画像は時系列に並んだ画像であるのが好ましい。
【００９０】
また、交通違反者抽出手段１８ａは、画像に基づいて、交通違反を犯している交通違反者を画像から抽出する。
次に、行動追跡手段１８ｂは、交通違反者抽出手段１８ａが抽出した交通違反者について、複数の時系列に並んだ画像を参照して、交通違反者の行動を追跡する。交通違反者の行動には、例えば、交通違反者の移動が含まれる。
行動追跡手段１８ｂは、交通違反者の行動を追跡した行動情報を、音発生制御部１９に出力する。
【００９１】
＜２−３、音発生制御部１９における処理＞
音発生制御部１９の詳細な処理内容について、図６、図７Ａ〜図７Ｅを用いて説明すれば以下の通りである。
【００９２】
音発生制御部１９は、図６に示すように、音発生条件ＤＢ１９ａと、音発生条件決定手段１９ｂと、を有している。
音発生条件ＤＢ１９ａは、音発生制御部１９が制御する音の発生条件が記憶されている。音発生条件決定手段１９ｂは、違反検出部１２から違反検出結果を取得する。また、音発生条件決定手段１９ｂは、行動検出部１８から交通違反者の行動情報を取得する。音発生条件決定手段１９ｂは、違反検出結果および交通違反者の行動情報等と、音発生条件ＤＢ１９ａとを参照し、音発生制御情報を生成する。音発生制御情報は、音発生制御部１９がスピーカ２７を制御するための制御情報である。音発生制御情報には、スピーカ２７から発する音の発生時間、音の種類、音の発生範囲、音の強度、および交通違反者の行動情報などが定義されている。
【００９３】
以下に、音発生条件ＤＢ１９ａ内に記憶されている音発生条件について具体的に説明する。なお、図７Ａ〜図７Ｅは音発生条件の一例であり、音発生条件はこれに限られない。例えば、音発生条件は、音の発生時間、音の種類、音の発生範囲および音の強度の１つ、又はこれらの組み合わせによって定義されてもよい。また、音発生条件は、交通違反者に対する交通違反の抑止効果を達成できるものであれば、音の発生時間、音の種類、音の発生範囲および音の強度以外の条件によって定義されてもよい。
【００９４】
例えば、図７Ａでは、音発生条件ＤＢ１９ａには、予め、違反抑止システム１の設置者によって設定された音発生条件が記憶されている。図７Ａでは、音発生条件として、交通違反者の体全体に音を発すること、区間Ａで音を発すること、音の種類が連続音であること等が設定されている。また、図７Ａでは、交通違反者の行動情報に応じてスピーカ２７からの音の方向が移動することが定義されている。その他、音発生条件ＤＢ１９ａには、例えば図７Ｂ〜図７Ｅに示す音発生条件が記憶されている。
【００９５】
なお、音発生条件として複数の条件を組み合わせて設定可能であるが、少なくとも１つの発生条件が設定できればよい。例えば、音の発生時間、音の種類、音の発生範囲および音の強度の少なくとも一つが調整されればよい。
このような音発生条件を設定して音発生制御部１９によりスピーカ２７を制御することで、交通違反者に対して交通違反を犯すことを躊躇させたり、今後この場所において交通違反を犯すことを控えさせたりすることができ、交通違反の抑止効果を高めることができる。以下に、様々な音発生条件の一例について説明する。
【００９６】
（交通違反者の体全体に音が発せられる）
例えば、図８に示すように、交通違反者の体全体に音が発せられてもよい。つまり、指向性のある音が交通違反者に向けて発せられるため、交通違反者は確実に警告音等の音を聞き取ることができる。よって、交通違反者に対して、交通違反を犯していることを認識させる効果がある。また、例えば、図８のような指向性のある音が交通違反者に発せられている場合であっても、交通違反者が、交通違反者の周囲のものに警告音等の音を聞かれていると感じた場合には、交通違反者は羞恥心を感じる。
【００９７】
（交通違反者の体の一部に音が発せられる）
体の一部、例えば図９に示すように顔に音が集中的に発せられる。
例えば、音発生制御部１９は、顔検出部１３ａから交通違反者の顔の位置を取得する。音発生制御部１９は、顔検出部１３ａが検出した交通違反者の顔の位置に基づいて、交通違反者の顔に向けて音を発する。交通違反者は、特に顔に向けて音が発せられることによって耳を通じて音の刺激を受ける。ここで、耳は最も音の刺激を受ける部分であるので、交通違反者が、交通違反を犯していることを監視され、注目されているように感じ、交通違反者は羞恥心を感じる。そのため、交通違反者による交通違反の認識効果、および交通違反者による交通違反に対する羞恥心等も高めることができる。さらには、交通違反者に対して、今後この場所において交通違反を犯すことを控えさせたりすることができる効果を高めることができる。なお、顔へ向けて発する音を、連続音ではなく断続音とすると、交通違反者への交通違反の抑止効果を得つつ、交通違反者の耳に対して強い刺激を与えすぎないようにすることができる。
【００９８】
（交通違反の全区間において交通違反者に音が発せられる）
例えば、交通違反の期間全体に亘って交通違反者に向けて音が発せられる場合には、交通違反者に向けて常に音が発せられる。そのため、交通違反者に対して常に交通違反を犯していることを認識させる、または自分の交通違反を誰かに見られているということを感じさせることができる。また、交通違反者の行動が周囲から常に観察され、交通違反者は常に羞恥心を感じる。
【００９９】
（交通違反の特定区間において交通違反者に音が発せられる）
逆に、横断歩道Ｚ内の特定の区間においてのみ、交通違反者に音を発してもよい。これにより、例えば、交通違反者に特に危険な区間を知らせることができる。
（発生時間が調整された音が交通違反者に発せられる）
また、例えば、交通違反の期間において、交通違反者に向けて所定の間隔で音が発せられてもよい。例えば、断続音が交通違反者に向けて発せられる場合には、交通違反者への交通違反の抑止効果を得つつ、交通違反者の耳に対して強い刺激を与えすぎないようにすることができる。
【０１００】
（交通違反者の行動情報に応じて音が発せられる）
また、交通違反者の移動に追従して交通違反者に向けて音が発せられてもよい。図１０に示すように交通違反者は、横断歩道Ｚを図中の左から右に移動して横断している。このとき、音発生制御部１９は、交通違反者の移動に追従するようにスピーカ２７を駆動する。よって、図１０では、スピーカ２７からの音の発生範囲がＳＡａからＳＡｂに順次移動している。
【０１０１】
より具体的には、音発生制御部１９は、行動検出部１８から交通違反者の一連の移動を含む行動情報を受信する。音発生制御部１９は、行動情報に基づいて交通違反者の移動に追従するようにスピーカ２７を制御する。
これにより、交通違反者の移動に追従して音が発せられる。この場合、交通違反者は、交通違反を犯している限り、音から逃れることはできない。よって、交通違反者は、交通違反を犯していることを監視されているように感じる。また、交通違反を犯している限り音が発せられるため、交通違反者の交通違反に対する認識、交通違反に対する羞恥心および交通違反の繰り返しの抑制効果等もさらに高めることができる。結果として、交通違反を犯すこと又はくり返すことを躊躇させ、交通違反の抑止効果を高めることができる。
【０１０２】
また、音発生制御部１９は、顔検出部１３ａから交通違反者の顔の位置を取得する。音発生制御部１９は、顔検出部１３ａが検出した交通違反者の顔の位置に基づいて、交通違反者の顔に向けて音を発する。交通違反者は、特に顔に向けて音を発せられることによって耳を通じて音の刺激を受ける。ここで、耳は最も音の刺激を受ける部分であるので、交通違反者が、交通違反を犯していることを監視され、注目されているように感じ、交通違反者は羞恥心を感じる。よって、交通違反者による交通違反の認識効果、および交通違反者による交通違反に対する羞恥心等も高めることができる。さらには、交通違反者に対して、今後この場所において交通違反を犯すことを控えさせたりすることができる効果を高めることができる。
なお、例えば、音発生制御部１９は、顔検出部１３ａから交通違反者の耳の位置情報を受信し、交通違反者の耳の位置に追従するようにスピーカ２７制御してもよい。これにより、交通違反者の耳に直接的に音を発することができる。
【０１０３】
（区間毎に異なる音が交通違反者に発せられる）
また、例えば、交通違反者が横断歩道を通行している区間に応じて音の発生強度、音の種類および発生時間等が異なってもよい。例えば、音発生条件ＤＢ１９ａには、図７Ｂに示すように、交通違反の区間と、音発生強度と、音の種類との関係が定義されている。また、音発生条件ＤＢ１９ａには、図７Ｃに示すように、交通違反の区間と音発生間隔との関係が定義されている。なお、図７Ｂ、図７Ｃにおいて、例えば１／５とは、横断歩道Ｚの全長の１／５の位置を意味する。
【０１０４】
例えば、図７Ｂの場合、横断歩道Ｚの開始端から最終端に向かうほど音発生強度が高くなる。つまり、交通違反者にとっては、横断歩道Ｚの最終端に向かうほど音がうるさく感じるようにしている。また、図７Ｂの場合、横断歩道Ｚの開始端からの区間に応じて、発せられる音の種類が異なる。例えば、横断歩道Ｚの開始端から最後の区間に向かって、警告の度合いが徐々に強くなるように音の種類が変化してもよい。つまり、交通違反者が横断歩道Ｚの最終端に向かうにつれ、不快感が強まるような音を発するようにしたり、交通違反者に向けた音声（メッセージ）内容を変更したりする。なお、区間に応じて、音の発生強度又は音の種類のいずれかが変化してもよい。また、音声（メッセージ）の内容としては、「赤信号無視です」、「赤信号無視はやめなさい」、「赤信号無視は事故や渋滞の原因になります」、「あなたは交通違反者です」、「あなたを交通違反者として記録しています」などが考えられる。
また、図７Ｃの場合、交通違反者に向けて、横断歩道の通行開始時および通行終了時は断続音が発せられ、開始時と終了時との間は連続音が発せられる。これにより、交通違反者に向けて単調な音を発する場合に比べて、交通違反者に対する音の刺激が区間によって異なる。よって、交通違反者に対する注意喚起の効果が高まる。
【０１０５】
（交通違反の時間または距離に応じて交通違反者に音が発せられる）
また、例えば、交通違反者が交通違反を犯している時間の長さ、つまり赤信号４０ａで通行している時間の長さに応じて、音の強度が異なってもよい。例えば、音発生条件ＤＢ１９ａには、図７Ｄに示すように、交通違反の時間と音発生強度との関係が定義されている。あるいは、交通違反者が交通違反を犯している距離に応じて、音の強度が異なってもよい。例えば、音発生条件ＤＢ１９ａには、図７Ｅに示すように、交通違反の長さと音発生強度との関係が定義されている。なお、交通違反の時間または交通違反の長さに応じて音の種類が異なってもよい。
【０１０６】
図７Ｄによれば、交通違反の時間が長くなればなるほど、交通違反者に発せられる音の強度が強くなる。また、図７Ｅによれば、交通違反の距離が長くなればなるほど、交通違反者に発せられる音の強度が強くなる。交通違反の時間および距離に応じて音の強度が強くなることにより、交通違反者に対して交通違反を犯すこと又はくり返すことを躊躇させ、交通違反の抑止効果を高めることができる。
【０１０７】
なお、交通違反者が交通違反を犯している時間および距離等に応じて断続音又は連続音にするなど、音の発生間隔が異なってもよい。
【０１０８】
＜２−４、画像抽出部１３における処理＞
画像抽出部１３の詳細な処理内容について、図１１を用いて説明すれば以下の通りである。
画像抽出部１３は、違反検出部１２からの違反検出結果に基づいて、画像取得部１１から受信した画像情報の中から、交通違反者を特定するために最適な画像を抽出する。具体的には、画像抽出部１３は、最適な画像を抽出するために、図１１に示すように、顔検出部１３ａを有している。
顔検出部１３ａは、信号無視等の交通違反者の人物を特定するための最適な画像を抽出するために、画像中に含まれる交通違反者（歩行者Ａ１や自転車Ｂの運転者Ａ２等）の顔の向きを検出する。
【０１０９】
より詳細には、顔検出部１３ａは、信号無視等の交通違反が検出された画像に含まれる交通違反者の顔の向きを検出する。特に、顔検出部１３ａは、交通違反者の顔が正面を向いているか否かを検出する。これにより、画像抽出部１３は、交通違反者の顔が正面から撮影された画像を抽出することができる。
交通違反者が正面を向いている画像とは、例えば、カメラ２０に対して交通違反者の顔が正対している状態等が考えられる。よって、交通違反者の顔の概ね全体を取得できるため、交通違反者の特定が容易となる。また、交通違反者の顔の向きに基づいて、交通違反者が赤信号４０ａの信号機４０を見ているか否かを把握することができる。そして、交通違反者が、赤信号４０ａの信号機４０を見ているにも関わらず、赤信号４０ａを無視して道路を横断しようとしている場合には、その交通違反が故意になされたことを特定できる。
【０１１０】
ここで、カメラ２０とスピーカ２７とが概ね同位置に設置されていると好ましい。この場合、スピーカ２７によって交通違反者に指向性の強い音が発せられると、交通違反者はカメラ２０およびスピーカ２７の方向を見る可能性が高い。よって、カメラ２０およびスピーカ２７を見たときにカメラ２０で交通違反者を撮影すれば、交通違反者の顔の概ね全体を取得できるため、交通違反者の特定が容易となる。これによれば、例えば、警察署等において、交通違反の検出および立証が容易である。
【０１１１】
このため、画像抽出部１３では、信号無視を犯した歩行者Ａ１等の交通違反者が下や横を向いて歩いている状態の画像等、交通違反者の特定に利用できない画像を排除して、交通違反者の特定に最適な画像だけを抽出する。
また、記憶部１６では、交通違反者の特定に最適な画像情報と、違反検出部１２において検出された違反検出結果とを関連付けて保存することができる。
さらに、顔検出部１３ａは、画像取得部１１から受信した複数の画像に基づいて、交通違反者の顔の位置を検出する。なお、顔検出部１３ａは、画像取得部１１から時系列に並んだ複数の画像を取得してもよい。これにより、顔検出部１３ａは、交通違反者の顔の位置の一連の動きを検出できる。顔検出部１３ａは、顔の位置又は顔の位置の一連の動きを音発生制御部１９に出力する。音発生制御部１９は、顔検出部１３ａが検出した顔の位置等に基づいて、交通違反者の顔に対して光を照射することができる。
【０１１２】
＜２−５、記憶部１６に保存される情報＞
本実施形態の違反抑止装置１０では、上述したように、違反検出部１２において検出された違反検出結果、画像抽出部１３において抽出された画像情報、および画像取得部１１において取得された画像情報を互いに関連付けて、記憶部１６に保存させる。ここで、違反検出部１２での違反検出結果とは、交通違反者の存在、違反内容、違反場所、違反日時等である。
【０１１３】
記憶部１６は、データの書き込み、消去が可能なフラッシュメモリ等の記憶手段であって、図１２に示すように、画像情報記憶領域１６ａおよび違反検出情報記憶領域１６ｂを有している。
画像情報記憶領域１６ａは、上述した画像取得部１１において取得された画像情報、違反検出部１２において検出された交通違反に関連する画像情報、画像抽出部１３において抽出された交通違反者の特定に最適な画像情報等を保存する。
【０１１４】
より詳細には、画像情報記憶領域１６ａは、例えば、
・画像取得部１１において取得された信号機と交通違反者を含む画像情報
・画像取得部１１において取得された交通違反者の顔を含む画像情報
・違反検出部１２において使用された交通違反を立証するための画像情報
・画像抽出部１３において抽出された交通違反者の特定に最適な画像情報
等の画像情報を保存する。
違反検出情報記憶領域１６ｂは、違反検出部１２において検出された違反検出結果に関する情報を保存する。
【０１１５】
＜３、表示部２１における表示態様＞
本実施形態の違反抑止システム１では、違反検出部１２から取得した違反検出結果と、交通違反の立証および交通違反者の特定に必要な画像と、を含む各種情報を記憶部１６に保存する。さらに、本違反抑止システム１では、警察署等に設置された液晶ディスプレイ等の表示部２１に、記憶部１６に保存された各種情報を表示させる。
【０１１６】
つまり、違反抑止システム１では、記憶部１６に保存された違反特定用の画像Ｐ１、交通違反者特定用の画像Ｐ２等、その交通違反および交通違反者に関する各種情報を、警察官等が効率的に取締りを実施できるように、表示部２１の表示が制御される。
具体的には、表示部２１には、図１３〜図１５に示すように、信号無視等の交通違反に関する違反内容および画像Ｐ１〜Ｐ４等が表示される。
なお、警察官等は、表示部２１での交通違反の表示によって、必ずしもが交通違反を取り締まる必要はなく、歩行者や自転車による信号無視等の交通違反の状況を確認できればよい。
【０１１７】
＜３−１、単一の表示画面を用いた違反内容等の表示例＞
図１３は、１つの表示画面において、１つの交通違反に関する情報を全て表示する際の表示画面Ｓ１を示している。
【０１１８】
表示画面Ｓ１は、図１３に示すように、例えば、違反内容表示領域５１、および特定用画像表示領域５２という２つの表示領域を有している。
違反内容表示領域５１には、違反内容（例えば、赤信号無視）、違反場所、画像の撮影日時等が表示されている。本実施形態では、図１３に示すように、２枚の画像を用いて交通違反の立証および交通違反者の特定をしているため、それぞれの画像が撮影された年月日秒まで記載される。
【０１１９】
特定用画像表示領域５２には、違反内容表示領域５１に表示された違反内容および交通違反者を特定するための画像が表示される。本実施形態では、図１３に示すように、１枚の違反特定用の画像Ｐ１と、１枚の交通違反者特定用の画像Ｐ２とが表示されている。
違反特定用の画像Ｐ１は、赤信号４０ａの信号機４０と横断歩道Ｚ内に進入した歩行者Ａ１とが含まれるように撮影された画像を示している。
【０１２０】
このような交通違反者を正面から撮影した画像Ｐ１は、カメラ２０が横断歩道Ｚに設置された信号機４０あるいはその近傍に取り付けられていることで、容易に取得することができる。
これにより、赤信号４０ａの信号機４０と横断歩道Ｚ内の歩行者Ａ１とを含む１枚の画像Ｐ１によって、赤信号無視の交通違反を立証することができる。
【０１２１】
交通違反者特定用の画像Ｐ２は、違反特定用の画像Ｐ１において信号無視と判定された交通違反者の正面の画像における交通違反者の顔の部分を、画像処理によって拡大して表示している。この画像Ｐ２によって、交通違反者の正面の顔を含む画像を得ることができる。
本実施形態の違反抑止システム１では、以上のように、信号無視の交通違反を立証して、その交通違反者を特定するために必要な情報（違反内容、特定用画像、その他の情報等）を、表示部２１の１つの表示画面Ｓ１内にまとめて表示する。
【０１２２】
これにより、本違反抑止システム１を用いて信号無視等の交通違反の取締りを行う警察官は、図１３に示す表示画面Ｓ１を確認するだけで、容易に交通違反の取締りを実施するか否かを判断することができる。よって、警察官等は、従来の信号無視等の交通違反の取締り方法と比較して、取締り効率を向上させることができる。
【０１２３】
＜３−２、複数の表示画面を用いた違反内容の表示例＞
次に、図１４（ａ）および図１４（ｂ）は、複数の表示画面にわたって、１つの交通違反に関する情報を表示する際の表示画面Ｓ２，Ｓ３を示している。
表示画面Ｓ２，Ｓ３はともに、上述した表示画面Ｓ１と同様に、図１４（ａ）に示すように、違反内容表示領域５１、および特定用画像表示領域５２という２つの表示領域を有している。
なお、違反内容表示領域５１における表示内容については、上述した表示画面Ｓ１と同様であるため、ここでは詳しい説明を省略する。
【０１２４】
そして、表示画面Ｓ２では、特定用画像表示領域５２に、違反内容表示領域５１に表示された違反内容を立証するための１枚の画像Ｐ１だけが表示される。
本実施形態では、図１４（ａ）に示すように、１枚の違反特定用の画像Ｐ１を用いて信号無視の交通違反を立証しており、三角形の切替ボタン５４をクリックすることで、図１４（ｂ）に示す交通違反者特定用の画像Ｐ２が表示される。
【０１２５】
表示画面Ｓ３は、図１４（ａ）に示す違反特定用の画像Ｐ１の表示状態から、「次へ」の切替ボタン５４をクリックすると表示される。
表示画面Ｓ３の特定用画像表示領域５２には、違反内容表示領域５１に表示された交通違反者を特定するための交通違反者特定用の画像Ｐ２が表示される。本実施形態では、図１４（ｂ）に示すように、１枚の交通違反者特定用の画像Ｐ２を用いて交通違反者が特定される。そして、図１４（ｂ）に示す三角形の切替ボタン５４（前へ、次へ）をクリックすることで、前画面（表示画面Ｓ２）、あるいはさらに次の画面が表示される。
【０１２６】
なお、さらに次の画面に表示される表示内容としては、この違反に関連する情報として、残りの違反特定用の画像、交通違反者特定用の画像等が含まれる。
また、例えば、信号無視等の交通違反に対して違反金等の罰金を課す国や地域等の場合には、別の表示画面として、交通違反者に対する違反金の請求書類のデータ等を表示してもよい。
【０１２７】
この違反金の請求書類のデータは、図示しない違反金請求書類作成手段によって作成されて記憶部１６に保存される。また、請求書類のデータには、請求金額（反則金）等が含まれる。
本実施形態の違反抑止システム１では、以上のように、１つの交通違反を立証するために必要な情報（違反内容、特定用画像、その他の情報等）を、表示部２１の複数の表示画面に分けて表示することができる。
【０１２８】
これにより、本違反抑止システム１を用いて信号無視等の交通違反の取締りを行う警察官は、図１４（ａ）および図１４（ｂ）に示す表示画面Ｓ２，Ｓ３等を確認することで、交通違反として取締りの対象とするか否かを容易に判定することができる。よって、警察官は、２〜３つの表示画面を確認して必要最小限の情報と画像を確認するだけで済むため、従来の信号無視等の交通違反の取締り方法と比較して、取締り効率を向上させることができる。
【０１２９】
＜３−３、交通違反者特定用の表示画面の表示例＞
図１５は、表示部２１の表示画面Ｓ４において表示される信号無視の交通違反に関する各種情報の表示画面を示している。
具体的には、表示画面Ｓ４は、上述した表示画面Ｓ１〜Ｓ３と同様に、図１５に示すように、違反内容表示領域５１、および特定用画像表示領域５２という２つの表示領域を有している。
なお、違反内容表示領域５１における表示内容については、上述した表示画面Ｓ１〜Ｓ３と同様であるため、ここでは詳しい説明を省略する。
【０１３０】
表示画面Ｓ４の特定用画像表示領域５２には、赤信号４０ａの横断歩道Ｚを渡る直前に、信号機４０を見た瞬間の歩行者Ａ１と、その側方に設置された信号機４０とを含む画像Ｐ３と、画像Ｐ３中の交通違反者の顔を拡大した画像Ｐ４とが表示されている。
ここで、赤信号４０ａを無視して横断歩道を渡ろうとする歩行者Ａ１や自転車Ｂの運転者Ａ２等は、横断歩道を渡る直前に、信号機４０の色を確認すると推測される。
【０１３１】
このとき、信号機４０の色を確認した歩行者Ａ１等は、対向配置された信号機４０に取り付けられたカメラ２０に対して顔を上げて正対した状態となる。
これにより、カメラ２０は、この瞬間の画像を撮影することで、赤信号４０ａを無視して横断歩道Ｚに進入した歩行者Ａ１等の顔の部分を正面から撮影することができる。
よって、図１５に示すように、赤信号４０ａを無視して横断歩道Ｚを横断しようとする歩行者Ａ１が対向配置された信号機４０の色を確認した瞬間の画像をカメラ２０によって撮影しておくことで、交通違反者の特定に適した画像Ｐ３，Ｐ４を得ることができる。
【０１３２】
なお、図１５に示す画像Ｐ３は、その時点では歩行者Ａ１が赤信号４０ａを無視して横断歩道Ｚ内に進入するか否かを判定できないため、それ１枚だけで信号無視の交通違反の立証は難しい。
よって、画像Ｐ３は交通違反者の特定用として用いることとし、交通違反の立証には、別途、上述した違反特定用の画像Ｐ１等を併用することが好ましい。
【０１３３】
つまり、違反特定用の画像Ｐ１を用いて信号無視等の交通違反を検出した場合には、画像抽出部１３において、その画像Ｐ１を撮影する前に遡って撮影された交通違反者特定用の画像Ｐ３を抽出する。
なお、このように、信号無視等の違反検出をした後で、違反特定用の画像Ｐ１等よりも前に撮影された交通違反者特定用の画像Ｐ３等を用いる場合には、カメラ２０において連続的に静止画を撮影する、あるいは動画を撮影することが好ましい。
【０１３４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、図１に示すように、違反抑止システム１が、違反抑止装置１０、カメラ２０、表示部２１およびスピーカ２７を備える例を挙げて説明した。しかし、本発明はこれに限定されるものではない。
【０１３５】
例えば、違反抑止システム１は、交通違反者に向けて音を発することができればよく、カメラ２０および表示部２１の少なくとも１つは必須ではない。
具体的には、カメラ２０、画像取得部１１および画像抽出部１３は必須ではない。よって、違反検出部１２は、例えば別途のセンサ等に基づいて、信号機が設置された横断歩道のある道路において、赤信号４０ａを無視して道路を横断しようとする歩行者や自転車等の交通違反者を検出する。また、行動検出部１８は、例えば別途のセンサ等に基づいて、交通違反者の移動を含む行動を検出する。音発生制御部１９は、これらの検出結果を受信する。よって、音発生制御部１９は、画像を用いた検出結果に基づくことなく、交通違反者に向けて音を発することが可能である。
【０１３６】
また、表示部２１および表示制御部１７は必須ではない。つまり、違反抑止システム１は、交通違反者に向けて音を発することができればよく、警察署等で警察官が交通違反を検挙等する必要がない場合、表示部２１および表示制御部１７は必須ではない。
また、違反抑止装置１０の記憶部１６は必須ではない。つまり、違反抑止システム１は、交通違反者に向けて音を発することができればよく、交通違反の検挙等に用いるために画像および交通違反の検出結果を記憶する必要はない。
【０１３７】
また、違反抑止装置１０の行動検出部１８は必須ではない。つまり、違反抑止システム１は、交通違反者に向けて音を発することができればよく、行動検出部１８は必須ではない。具体的には、音発生制御部１９は、交通違反者に向けて、その交通違反の少なくとも一部について音を発することができればよく、交通違反者の行動に追従して音を発する必要はない。
【０１３８】
（Ｂ）
上記実施形態では、カメラ２０によって撮影された交通違反者（歩行者Ａ１等）と信号機４０とを含む画像を用いて、交通違反の検出および交通違反者の特定を行う例を挙げて説明した。しかし、本発明はこれに限定されるものではない。
例えば、交通違反者の検出に関しては、図１６および図１７に示す違反抑止システム１０１であってもよい。以下では、上記実施形態の違反抑止システム１と異なる部分のみ説明する。
【０１３９】
この違反抑止システム１０１では、違反検出部１１２は、信号機制御信号と、違反検出センサ２２の違反検出センサ検知結果とを受信して、赤信号無視等の交通違反を検出する。
具体的には、違反検出部１１２は、図１７に示すように、信号機４０を制御する信号制御装置３０からの信号機制御信号とともに、横断歩道内の歩行者等の進入を検知する違反検出センサ２２の違反検出センサ検知結果を受信する。
【０１４０】
違反判定手段１１２ｂは、信号機制御信号によって確認できる赤信号の時間帯と、その時間帯に違反検出センサ２２が歩行者や自転車等が横断歩道に進入したことを検知した結果と、違反ＤＢ１１２ａに保存された立証条件と、を参照する。これにより、違反判定手段１１２ｂは、赤信号無視の交通違反及び交通違反者を検出することができる。
なお、違反検出の手段としては、図１に示す画像情報に基づく違反検出と、図１６に示す違反検出センサ検知結果および信号機制御信号の組合せと、を併用してもよい。
【０１４１】
つまり、画像情報を取得するカメラ（撮像装置）２０からの画像と、違反検出センサ２２での違反検出センサ検知結果と、および信号制御装置３０からの信号機制御信号と、を組み合わせることで、検出される交通違反の種類等に応じて最適な組合せが選択されてもよい。
これにより、例えば、画像情報だけでは交通違反の立証が難しい場合には、信号機制御信号と、信号機制御信号によって赤信号の時間帯に撮影された画像情報とを組み合わせることで、交通違反及びその交通違反者を検出することができる。
【０１４２】
（Ｃ）
上記実施形態では、カメラ２０によって撮影された交通違反者（歩行者Ａ１等）を含む画像を用いて、交通違反者の移動を含む交通違反者の行動を検出する例を挙げて説明した。しかし、本発明はこれに限定されるものではない。
例えば、交通違反者の行動の検出に関しては、図１８および図１９に示す違反抑止システム１０２であってもよい。以下では、上記実施形態の違反抑止システム１と異なる部分のみ説明する。
【０１４３】
この違反抑止システム１０２では、行動検出部１１８は、行動検出センサ２８の行動検出センサ検知結果を受信して、交通違反者の行動を検出する。行動検出センサ２８は、交通違反者の横断歩道Ｚ内での移動等を検知して、行動検出センサ検知結果を行動検出部１１８に出力する。行動検出部１１８は、行動検出センサ２８の行動検出センサ検知結果を受信し、交通違反者の移動を含む交通違反者の行動を検出する。
【０１４４】
また、行動検出部１１８は、違反検出部１２から違反検出情報を受信してもよい。この場合、行動検出部１１８は、違反検出情報に基づいて、交通違反が検出された後の行動検出センサ検知結果から交通違反者の行動を検出することができる。
なお、交通違反者の行動検出の手段としては、図１に示す画像情報に基づく違反検出と、図１８に示す違反検出センサ検知結果と、を併用してもよい。
【０１４５】
つまり、画像情報を取得するカメラ（撮像装置）２０からの画像と、行動検出センサ２８での行動検出センサ検知結果とを組み合わせて、交通違反者の行動を検出してもよい。
これにより、例えば、画像情報だけでは交通違反者の行動検出が難しい場合には、行動検出センサ２８での行動検出センサ検知結果と、カメラ（撮像装置）２０からの画像とを組み合わせることで、交通違反者の行動を検出することができる。
【０１４６】
（Ｄ）
上記実施形態の違反抑止システム１では、歩行者や自転車等による信号無視等の交通違反の抑止効果を高めるために、スピーカ（指向性音発生装置）２７によって交通違反者に向けて音を発生する。しかし、本発明はスピーカ２７のみを使用したものに限定されるものではない。
【０１４７】
例えば、交通違反者に向けて音を発するのに加えて、光を照射してもよい。このため、図２０に示す違反抑止システム１０３では、図１の違反抑止システム１に加えて、光照射制御部６０およびライト（光照射装置）６１を含む。光照射制御部６０は、ライト６１を制御して、交通違反者に対して光を照射する。以下では、上記実施形態の違反抑止システム１と異なる部分のみ説明する。
【０１４８】
光照射制御部６０は、違反検出部１２から交通違反の違反検出結果を受信する。光照射制御部６０は、違反検出部１２において検出された交通違反者（歩行者Ａ１や自転車Ｂの運転者Ａ２）に対して光を照射するように、ライト６１を制御する。
また、光照射制御部６０は、行動検出部１８から交通違反者の移動を含む行動を受信してもよい。光照射制御部６０は、交通違反者の移動に追従して交通違反者に対して光を照射するように、ライト６１を制御してもよい。例えば、光の照射時間、光の色、光の照射範囲および光の強度の少なくとも一つが調整された光が交通違反者に照射される。
【０１４９】
これにより、交通違反を犯した交通違反者には、音が発せられるだけでなく、さらに光が照射される。よって、交通違反者は、通常の状況とは異なる状況におかれ、交通違反者への音及び光による刺激が交通違反者への警告になる。
より具体的には、交通違反者は、音の発生によって耳から音の刺激を受けるとともに、光の照射によって目を通じて光の刺激を受ける。そのため、交通違反者に対して、交通違反を犯していることを認識させる効果を高めることができる。
【０１５０】
例えば、音としては、交通違反者に向けて指向性のある音が発せられる。つまり、例えば交通違反者に向けて集中的に音が発せられる。交通違反者に向けて集中的に発せられる音としては、例えば交通違反者の位置だけに聞こえる音等が挙げられる。交通違反者の位置にだけに聞こえる音が発せられると、交通違反者は確実に警告音等の音を聞き取ることができる。また、例えば、交通違反者に音が発せられている場合であっても、交通違反者が、交通違反者の周囲のものに警告音等の音を聞かれていると感じた場合には、交通違反者は羞恥心を感じる。また、音が発せられるという経験に基づいて、交通違反者に対して、今後この場所において交通違反を犯すことを控えさせることができる。よって、交通違反者に対して交通違反を犯すこと又はくり返すことを躊躇させ、交通違反の抑止効果を高めることができる。
【０１５１】
また、例えば、交通違反者に対して照射する光としては、横断歩道を照らす光などが挙げられる。なお、ライト６１は、交通違反者に対して指向性を有する光を照射してもよい。ライト６１からの光が指向性を有するため、交通違反者に対して集中的に光が照射される。交通違反者に対して集中的に照射される光としては、例えば交通違反者だけが照らされるスポット光等が挙げられる。指向性のある光を照射された交通違反者は、確実に光による照射を感じ取ることができる。また、スポット光が照射された交通違反者は、周囲から目立つため羞恥心を感じる。また、光が照射されるという経験に基づいて、交通違反者に対して、今後この場所において交通違反を犯すことを控えさせることができる。よって、交通違反者に対して交通違反を犯すこと又はくり返すことを躊躇させ、交通違反の抑止効果を高めることができる。
【０１５２】
また、例えば、光照射制御部６０は、交通違反者の移動に追従するように交通違反者に対して光を照射するように、ライト６１を制御してもよい。このような制御のため、光照射制御部６０は、行動検出部１８から交通違反者の移動を含む行動情報を取得する。このとき、ライト６１からの光が指向性を有する場合には、例えば交通違反者に対して集中的に光が照射されるとともに、交通違反者の移動に追従するように光が照射される。
【０１５３】
この場合、例えば、交通違反者は、交通違反を犯している限り、照射された光から逃れることはできない。つまり、交通違反者は、交通違反を犯していることを監視されているように感じる。また、交通違反を犯している限り光が照射されるため、交通違反者の交通違反に対する認識、交通違反者の交通違反に対する羞恥心および交通違反の繰り返しの抑制効果等もさらに高まる。結果として、交通違反を犯すこと又はくり返すことを躊躇させ、交通違反の抑止効果を高めることができる。
【０１５４】
なお、ライト６１は、白色光や赤色光をなど単色の光を照射可能なライトだけではなく、複数色の光を照射可能なライトであってもよい。また、ライト６１は、蛍光灯、ＬＥＤ（light emitting diode）ライトおよびハロゲンランプなど多様な光照射装置を適用可能である。
【０１５５】
（Ｅ）
上記実施形態では、交通違反者の特定精度を向上させるために、画像中の交通違反者の顔の向きを検出する顔検出部１３ａを設けた例を挙げて説明した。しかし、本発明はこれに限定されるものではない。
例えば、画像中の交通違反者の顔の向きではなく、実際の交通違反者の顔の向きをリアルタイムで検出するセンサ等を、顔検出部として用いてもよい。
この場合には、赤信号無視の交通違反者を検出すると、交通違反者の顔の向きをリアルタイムで検出し、顔の向きがカメラ２０に向かって正対した際に撮影できるように、検出結果をカメラ２０に送信すればよい。
【０１５６】
これにより、カメラ２０によって人物の特定に最適な画像を撮影して、違反抑止装置１０側において最適な画像を取得することができる。
また、上記実施形態では、顔検出部１３ａは交通違反者の顔の位置を検出する。しかし、本発明はこれに限定されるものではない。実際の交通違反者の顔の位置をリアルタイムで検出するセンサ等を、顔検出部として用いてもよい。
この場合には、音発生制御部１９は、センサから交通違反者の顔の位置を取得し、交通違反者の顔に向けて音を発することができる。
【０１５７】
（Ｆ）
上記実施形態では、１つの撮影範囲に１つのカメラ２０を設置して歩行者等の撮影を行う例を挙げて説明した。しかし、本発明はこれに限定されるものではない。
例えば、１つの撮影範囲（１つの横断歩道）に対して、カメラを複数設置してもよい。
この場合には、各カメラで交通違反者の顔の部分を拡大して撮影する等が可能となり、交通違反者の特定精度を向上させることができる。
【０１５８】
（Ｇ）
上記実施形態では、図２および図３に示すように、カメラ２０およびスピーカ２７が信号機４０の上部に設置されている例を挙げて説明した。しかし、本発明はこれに限定されるものではない。
例えば、図２１（ａ）に示すように、正面視において四角形のカメラ１２０およびスピーカ１２７を、信号機４０の下部に設置してもよい。また、図２１（ｂ）および図２１（ｃ）に示すように、同様の形状のカメラ１２０およびスピーカ１２７を、信号機４０の上部あるいは側面に設置してもよい。
【０１５９】
（Ｈ）
上記実施形態では、カメラ２０およびスピーカ２７が信号機４０に対して取り付けられた例を挙げて説明した。しかし、本発明はこれに限定されるものではない。
【０１６０】
例えば、カメラ等の撮像装置は、信号機４０とは別の支柱等に設置されていてもよい。
ただし、信号無視の交通違反者等は、横断歩道を渡る前に、信号機４０の色を確認することが予想される。このため、交通違反者が信号機４０の色を確認した瞬間の画像を撮影すると、必然的にカメラに交通違反者の顔が正対した状態となる。このことを考慮すれば、カメラ等の撮像装置は、信号機の近傍に設置されていることがより好ましい。
【０１６１】
（Ｉ）
上記実施形態では、信号無視の交通違反者の顔を正面から撮影した画像を用いて、交通違反者の特定を行う例を挙げて説明した。しかし、本発明はこれに限定されるものではない。
例えば、顔を正面から撮影した画像だけでなく、他の角度から撮影した画像を、正面から撮影した画像と組み合わせて、交通違反者を特定してもよい。
【０１６２】
（Ｊ）
上記実施形態では、歩行者用の信号機４０が設置された横断歩道Ｚを横断する歩行者Ａ１や自転車Ｂの運転者Ａ２等の信号無視の交通違反者を特定する例を挙げて説明した。しかし、本発明はこれに限定されるものではない。
例えば、信号機や横断歩道のない横断禁止の道路等を横断する歩行者や自転車等による横断禁止違反を検出して、その交通違反者を特定してもよい。
この場合には、横断者が多い地点にカメラ等を設置して交通違反者を撮影することで、上記実施形態と同様に、交通違反者を特定することができる。
【０１６３】
（Ｋ）
上記実施形態では、歩行者Ａ１や自転車Ｂの運転者Ａ２等による信号無視の交通違反を検出して、その交通違反者を特定する例を挙げて説明した。しかし、本発明はこれに限定されるものではない。
例えば、自転車の二人乗りや走行帯違反等、並進通行違反、一時停止違反等、他の交通違反を検出して、交通違反者を特定してもよい。
つまり、国や地域によって規定された交通ルールに沿って、他の種類の交通違反の検出および交通違反者の特定にも、本発明の適用は可能である。
【０１６４】
（Ｌ）
上記実施形態では、交通違反者は、赤信号を意識的に無視して交通違反を犯している者を例に挙げて説明した。しかし、本発明はこれに限定されるものではない。
例えば、交通違反者には、無意識的に交通違反を犯している者が含まれてもよい。この場合、無意識的に赤信号無視等をした交通違反者に対して、交通違反をしていることを認識させ、危険を回避させることができる。
【０１６５】
（Ｍ）
上記実施形態では、図１に示すように、歩行者Ａ１等の交通違反者の進行方向と対向する位置に設置されているスピーカ２７が、交通違反者に向けて音を発する場合を例に挙げて説明した。しかし、本発明はこれに限定されるものではない。
例えば、図２２に示すように、歩行者Ａ１等の交通違反者の進行方向とは逆に設置されているスピーカ２７が、交通違反者に向けて音を発してもよい。
【０１６６】
（Ｎ）
上記実施形態では、１人の交通違反者に向けて音が発せられる例を挙げて説明した。しかし、本発明はこれに限定されるものではない。
【０１６７】
例えば、違反検出部１２は、複数の交通違反者を検出してもよい。このとき、違反検出部１２は、複数の交通違反者のそれぞれの位置について音発生制御部１９に出力する。あるいは、違反検出部１２は、複数の交通違反者が含まれる領域について音発生制御部１９に出力する。音発生制御部１９は、複数の交通違反者に対応可能なように、１つのスピーカ２７の発生範囲を複数の交通違反者が含まれるように制御する。
【０１６８】
あるいは、音発生制御部１９は、１つのスピーカ２７を用いて、所定の時間毎に各交通違反者に音を発するように制御する。
あるいは、複数のスピーカ２７を設けてもよい。この場合、例えば、音発生制御部１９は、複数の交通違反者それぞれに各スピーカ２７からの各音が発せられるように制御する。
【０１６９】
（Ｏ）
上記実施形態では、交通違反があった時の照度とは関係なく音が発せられる例を挙げて説明した。しかし、本発明はこれに限定されるものではない。
図２３〜図２７Ｂを用いて、照度に応じて音が発せられる場合について説明する。
図２３の違反抑止システム１０４は、図１の違反抑止システム１の構成に加えて、照度センサ２５を含む。以下では、上記実施形態の違反抑止システム１と異なる部分のみ説明する。
【０１７０】
（照度センサ２５）
照度センサ２５は、例えば、信号機４０が設置された横断歩道Ｚのある道路において交通違反者が検出されると、その道路を含む空間の照度センサデータを検出する。照度センサ２５は、例えばフォトダイオードからなる受光素子を有している。照度センサ２５は、受光素子に入射された光を電流値に変換し、例えば電流値または電流値に対応するデジタルデータ等からなる照度センサデータを取得する。照度センサ２５は、検出結果を違反抑止装置１０の照度判定部２６に出力する。照度判定部２６については後述する。
【０１７１】
なお、照度センサ２５は、交通違反者が検出された場合にのみ作動してもよい。この場合、照度センサ２５は、違反検出部１２から交通違反者を検出したことを受信した場合にのみ動作し、電流値等の照度センサデータを取得する。あるいは、照度センサ２５は、常に動作して電流値等の照度センサデータを取得してもよい。この場合には、照度センサ２５は、違反検出部１２から交通違反者の検出結果を受信する必要は無い。そして、後述の音発生制御部１９は、違反検出部１２が交通違反者を検出した時の照度を照度判定部２６から取得し、この照度を参照して音の発生を制御する。
【０１７２】
また、照度センサ２５は、図２３に示すように、例えばカメラ２０と同様に信号機４０の上部へ取り付けられている。ただし、照度センサ２５は、交通違反の検出を行う横断歩道Ｚの近傍に設置されていればよく、信号機４０に取り付けられている必要はない。また、照度センサ２５とカメラ２０との配置位置も図２３に限定されず、例えばカメラ２０の横または下に照度センサ２５が設けられていてもよい。
【０１７３】
（照度判定部２６）
照度判定部２６は、照度センサ２５が検出した、電流値または電流値に対応するデジタルデータ等からなる照度センサデータを取得する。照度判定部２６は、照度センサデータに基づいて照度を判定する。
照度判定部２６は、図２５に示すように、照度判定ＤＢ２６ａと、照度決定手段２６ｂと、を有している。
【０１７４】
照度判定ＤＢ２６ａは、照度を判定するための照度判定条件を記憶している。図２６は、照度判定ＤＢ２６ａが記憶している照度判定条件の一例である。図２６の照度判定条件では、所定範囲の照度センサデータ（ｄａｔａ）と照度とが対応付けられている。例えば、照度センサデータ（ｄａｔａ）が０以上ａ未満の場合には、照度１が対応付けられている。
照度決定手段２６ｂは、照度センサ２５から照度センサデータを取得し、照度判定ＤＢ２６ａの照度判定条件に基づいて、照度を決定する。照度決定手段２６ｂは、決定した照度を音発生制御部１９に出力する。
【０１７５】
（音発生制御部１９）
音発生制御部１９は、照度判定部２６から交通違反者が検出されたときの周囲の照度を受信する。音発生制御部１９は、スピーカ２７を制御して、照度に応じた音を交通違反者に向けて発する。
【０１７６】
具体的には、例えば、音発生条件ＤＢ１９ａには、図２７Ａに示すように、照度と音発生の有無との関係が定義されている。図２７Ａでは、照度が所定の閾値以下の場合には音が発せられず、照度が所定の閾値より大きい場合には音が発せられることが定義されている。
ここで、照度が所定の閾値以下の場合とは、空間の照度が低い場合である。照度が所定の閾値以下の場合とは、例えば、夕方、夜間および日が昇っていない明け方等の暗い場合および薄暗い場合を含む。
【０１７７】
また、例えば、音発生条件ＤＢ１９ａには、図２７Ｂに示すように、照度と音発生強度の関係が定義されている。図２７Ｂでは、照度が大きくなるほど、音発生強度が大きくなる。
このように照度に応じて音発生強度を調整することで、夜間等において音の強度を弱くして、交通違反の抑止効果を保ちつつ、横断歩道等の近くに住む周辺住民への騒音被害を抑制できる。
なお、ここでは、照度センサ２５が照度センサデータを取得し、照度判定部２６が照度を検出する例を挙げて説明した。しかし、照度センサ２５および照度判定部２６は一体であってもよい。例えば、照度センサ２５が、照度センサデータを取得し、照度センサデータに基づいて照度を検出してもよい。
【０１７８】
（Ｐ）
上記実施形態では、スピーカ２７が、音発生制御部１９の制御によって、交通違反者に指向性のある音を発する指向性音発生装置である場合を例に挙げて説明した。しかし、本発明はこれに限定されるものではない。
【０１７９】
スピーカ２７は、指向性を有しない音発生装置であってもよい。この場合、例えば、音発生制御部１９は、違反検出部１２から交通違反があったことを取得すると、スピーカ２７を制御して例えば横断歩道Ｚ内に音を発する。これにより、横断歩道Ｚ内において交通違反を犯す交通違反者に向けて音が発せられる。例えば、交通違反を犯している場合に、指向性のない音が発せられると、交通違反者だけでなく交通違反者以外の周囲の人も警告音等の音を聞き取ることができる。よって、交通違反者は、周囲から交通違反を犯していることによって注目を集め、羞恥心を感じる。
【産業上の利用可能性】
【０１８０】
本発明の違反抑止装置は、赤信号無視等の交通違反の抑止効果を高めることができるという効果を奏することから、主要道路等に設置される信号機や交通管理システム等に対して広く適用可能である。
【符号の説明】
【０１８１】
１        違反抑止システム
１０      違反抑止装置
１１      画像取得部
１２      違反検出部
１２ａ    違反ＤＢ（データベース）
１２ｂ    違反判定手段
１３      画像抽出部
１３ａ    顔検出部
１６      記憶部
１６ａ    画像情報記憶領域
１６ｂ    違反検出情報記憶領域
１７      表示制御部
１８      行動検出部
１８ａ    交通違反者抽出手段
１８ｂ    行動追跡手段
１９      音発生制御部
１９ａ    音発生条件ＤＢ
１９ｂ    音発生条件決定手段
２０      カメラ（撮像装置）
２１      表示部
２２      違反検出センサ
２５      照度センサ
２６      照度判定部
２６ａ    照度判定ＤＢ
２６ｂ    照度決定手段
２７      スピーカ（指向性音発生装置）
２８      行動検出センサ
３０      信号制御装置
４０      信号機
４０ａ    赤信号
４０ｂ    青信号
５１      違反内容表示領域
５２      特定用画像表示領域
５４      切替ボタン
６０      光照射制御部
６１      ライト（光照射装置）
１０１    違反抑止システム
１０２    違反抑止システム
１０３    違反抑止システム
１１２    違反検出部
１１２ａ  違反ＤＢ（データベース）
１１２ｂ  違反判定手段
１１８    行動検出部
１２０    カメラ（撮像装置）
１２７    スピーカ（指向性音発生装置）
Ａ１    歩行者（交通違反者）
Ａ２    自転車の運転者（交通違反者）
Ｂ      自転車
Ｐ１〜Ｐ４  画像
Ｓ１〜Ｓ４  表示画面
Ｚ        横断歩道
【図１】
0006447425.tif 000002
【図２】
0006447425.tif 000003
【図３】
0006447425.tif 000004
【図４】
0006447425.tif 000005
【図５】
0006447425.tif 000006
【図６】
0006447425.tif 000007
【図７Ａ】
0006447425.tif 000008
【図７Ｂ】
0006447425.tif 000009
【図７Ｃ】
0006447425.tif 000010
【図７Ｄ】
0006447425.tif 000011
【図７Ｅ】
0006447425.tif 000012
【図８】
0006447425.tif 000013
【図９】
0006447425.tif 000014
【図１０】
0006447425.tif 000015
【図１１】
0006447425.tif 000016
【図１２】
0006447425.tif 000017
【図１３】
0006447425.tif 000018
【図１４】
0006447425.tif 000019
【図１５】
0006447425.tif 000020
【図１６】
0006447425.tif 000021
【図１７】
0006447425.tif 000022
【図１８】
0006447425.tif 000023
【図１９】
0006447425.tif 000024
【図２０】
0006447425.tif 000025
【図２１】
0006447425.tif 000026
【図２２】
0006447425.tif 000027
【図２３】
0006447425.tif 000028
【図２４】
0006447425.tif 000029
【図２５】
0006447425.tif 000030
【図２６】
0006447425.tif 000031
【図２７Ａ】
0006447425.tif 000032
【図２７Ｂ】
0006447425.tif 000033